(57)【要約】【課題】非直交多元接続のスケジューリングに関連する負担をより小さくすることを可能にする。【解決手段】非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択する選択部と、上記周波数帯域及び上記少なくとも１つのレイヤを上記端末装置に通知する通知部と、を備える装置が提供される。【選択図】図６
2016157918.tif 000002
【特許請求の範囲】
【請求項１】
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択する選択部と、
前記周波数帯域及び前記少なくとも１つのレイヤを前記端末装置に通知する通知部と、
を備える装置。
【請求項２】
前記非直交多元接続は、電力割当てを用いた非直交多元接続であり、
前記複数のレイヤは、電力割当てを用いて前記周波数帯域において多重化される複数のレイヤである、
請求項１に記載の装置。
【請求項３】
前記非直交多元接続は、ＳＰＣ（Superposition  Coding）を用いた非直交多元接続である、請求項２に記載の装置。
【請求項４】
前記選択部は、前記周波数帯域と、前記複数のレイヤのうちの、最大の電力を割り当てられるレイヤとを、前記非直交多元接続をサポートしていない他の端末装置への送信に使用される帯域及びレイヤとして選択し、
前記通知部は、前記周波数帯域を前記他の端末装置に通知する、
請求項２に記載の装置。
【請求項５】
前記端末装置は、前記非直交多元接続をサポートする端末装置である、請求項１に記載の装置。
【請求項６】
前記周波数帯域は、コンポーネントキャリアであり、
前記選択部は、前記端末装置への送信に使用されるセカンダリコンポーネントキャリアとして前記周波数帯域を選択し、当該セカンダリコンポーネントキャリアにおいて前記端末装置への送信に使用されるレイヤとして前記少なくとも１つのレイヤを選択する、
請求項１に記載の装置。
【請求項７】
前記選択部は、前記端末装置のハンドオーバ先の帯域として前記周波数帯域を選択し、当該ハンドオーバ先の当該帯域において前記端末装置への送信に使用されるレイヤとして前記少なくとも１つのレイヤを選択する、請求項１に記載の装置。
【請求項８】
前記選択部は、前記複数のレイヤのうちの他のレイヤを、前記端末装置への送信に使用されるレイヤとして再選択し、
前記通知部は、前記他のレイヤを前記端末装置に通知する、
請求項１に記載の装置。
【請求項９】
前記少なくとも１つのレイヤは、前記複数のレイヤのうちの１つのレイヤである、請求項１に記載の装置。
【請求項１０】
前記周波数帯域において信号を送信する送信処理部
をさらに備え、
前記送信処理部は、前記周波数帯域において前記複数のレイヤの各々で物理データチャネルの信号を送信する、
請求項１に記載の装置。
【請求項１１】
前記送信処理部は、前記周波数帯域において、前記複数のレイヤのうちの１つのレイヤで、又は、多重化なしで、物理制御チャネルの信号を送信する、請求項１０に記載の装置。
【請求項１２】
前記物理制御チャネルの前記信号は、前記複数のレイヤの各々についてのスケジューリング情報の信号を含む、請求項１１に記載の装置。
【請求項１３】
前記送信処理部は、前記周波数帯域において、前記複数のレイヤの各々で物理制御チャネルの信号を送信する、請求項１０に記載の装置。
【請求項１４】
前記複数のレイヤは、時間フレームの長さが第１の長さである第１のレイヤと、時間フレームの長さが前記第１の長さよりも小さい第２の長さである第２のレイヤとを含む、請求項１に記載の装置。
【請求項１５】
前記第１の長さは、前記非直交多元接続が適用されない他の周波数帯域の時間フレームの長さと同じである、請求項１４に記載の装置。
【請求項１６】
前記周波数帯域において信号を送信する送信処理部
をさらに備え、
前記送信処理部は、前記周波数帯域において、リアルタイム性がより低いデータの信号を前記第１のレイヤで送信し、リアルタイム性がより高いデータの信号を前記第２のレイヤで送信する、
請求項１４に記載の装置。
【請求項１７】
前記時間フレームは、サブフレームである、請求項１４に記載の装置。
【請求項１８】
プロセッサにより、
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択することと、
前記周波数帯域及び前記少なくとも１つのレイヤを前記端末装置に通知することと、
を含む方法。
【請求項１９】
非直交多元接続が適用される周波数帯域であって、端末装置への送信に使用される帯域として選択される当該周波数帯域を示す帯域情報と、前記非直交多元接続のために前記周波数帯域において多重化される複数のレイヤのうちの少なくとも１つのレイヤであって、前記端末装置への送信に使用されるレイヤとして選択される当該少なくとも１つのレイヤを示すレイヤ情報と、を取得する取得部と、
前記周波数帯域において前記少なくとも１つのレイヤで送信される信号の復号を行う受信処理部と、
を備える装置。
【請求項２０】
前記端末装置が前記非直交多元接続をサポートすることを示すケイパビリティ情報を基地局に通知する通知部をさらに備える、請求項１９に記載の装置。
【発明の詳細な説明】
【技術分野】
【０００１】
本開示は、装置に関する。
【背景技術】
【０００２】
ＬＴＥ（Long  Term  Evolution）／ＬＴＥ−Ａ（Advanced）に続く第５世代（５Ｇ）移動体通信システムの無線アクセス技術（Radio  Access  Technology：ＲＡＴ）として、非直交多元接続（Non-Orthogonal  Multiple  Access）が注目されている。ＬＴＥにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。これらの方式は、直交多元接続と呼ばれ得る。一方、非直交多元接続では、無線リソースは、重複してユーザに割り当てられる。非直交多元接続では、ユーザの信号が互いに干渉するが、受信側における高精度な復号処理によりユーザごとの信号が取り出される。非直交多元接続は、理論的には、直交多元接続よりも高いセル通信容量を実現することが可能である。【０００３】
非直交多元接続に分類される無線アクセス技術の１つとして、ＳＰＣ（Superposition  Coding）多重化／多元接続が挙げられる。ＳＰＣは、異なる電力が割り当てられた信号を少なくとも一部が重複する周波数及び時間の無線リソース上で多重化する方式である。受信側では、同一の無線リソース上で多重化された信号の受信／復号のために、干渉除去（Interference  Cancellation）及び／又は繰返し検出などが行われる。【０００４】
例えば、特許文献１及び２には、ＳＰＣ又はＳＰＣに準ずる技術として、適切な復調／復号を可能にする振幅（又は電力）の設定の手法が開示されている。また、例えば、特許文献３には、多重化された信号を受信するためのＳＩＣ（Successive  Interference  Cancellation）の高度化の手法が開示されている。
【先行技術文献】
【特許文献】
【０００５】
【特許文献１】特開２００３−７８４１９号公報
【特許文献２】特開２００３−２２９８３５号公報
【特許文献３】特開２０１３−２４７５１３号公報
【発明の概要】
【発明が解決しようとする課題】
【０００６】
非直交多元接続のために同一の無線リソースにおいて複数のレイヤが多重化される場合に、端末装置は、当該端末装置への信号が送信されるレイヤを知る必要がある。しかし、信号が送信される度に、上記端末装置への信号をどのレイヤで送信するかを決めることは、基地局の処理の観点で負担が増加し得る。また、上記端末装置への信号がどのレイヤで送信されるかを上記端末装置に通知するとは、無線リソースの消費の観点で負担が増加し得る。即ち、非直交多元接続のスケジューリングに関連する負担が大きくなり得る。【０００７】
そこで、非直交多元接続のスケジューリングに関連する負担をより小さくすることを可能にする仕組みが提供されることが望ましい。
【課題を解決するための手段】
【０００８】
本開示によれば、非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択する選択部と、上記周波数帯域及び上記少なくとも１つのレイヤを上記端末装置に通知する通知部と、を備える装置が提供される。【０００９】
また、本開示によれば、プロセッサにより、非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択することと、上記周波数帯域及び上記少なくとも１つのレイヤを上記端末装置に通知することと、を含む方法が提供される。【００１０】
また、本開示によれば、非直交多元接続が適用される周波数帯域であって、端末装置への送信に使用される帯域として選択される当該周波数帯域を示す帯域情報と、上記非直交多元接続のために上記周波数帯域において多重化される複数のレイヤのうちの少なくとも１つのレイヤであって、上記端末装置への送信に使用されるレイヤとして選択される当該少なくとも１つのレイヤを示すレイヤ情報と、を取得する取得部と、上記周波数帯域において上記少なくとも１つのレイヤで送信される信号の復号を行う受信処理部と、を備える装置が提供される。
【発明の効果】
【００１１】
以上説明したように本開示によれば、非直交多元接続のスケジューリングに関連する負担をより小さくすることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】ＳＰＣをサポートする送信装置における処理の一例を説明するための第１の説明図である。
【図２】ＳＰＣをサポートする送信装置における処理の一例を説明するための第２の説明図である。
【図３】干渉除去を行う受信装置における処理の一例を説明するための説明図である。
【図４】本開示の実施形態に係るシステムの概略的な構成の一例を示す説明図である。
【図５】基地局により使用される周波数帯域の一例を説明するための説明図である。
【図６】非直交多元接続の一例を説明するための説明図である
【図７】同実施形態に係る基地局の構成の一例を示すブロック図である。
【図８】同実施形態に係る端末装置の構成の一例を示すブロック図である。
【図９】基地局により各レイヤで送信される信号の第１の例を説明するための説明図である。
【図１０】基地局により各レイヤで送信される信号の第２の例を説明するための説明図である。
【図１１】基地局により各レイヤで送信される信号の第３の例を説明するための説明図である。
【図１２】基地局により各レイヤで送信される信号の第４の例を説明するための説明図である。
【図１３】基地局により各レイヤで送信される信号の第５の例を説明するための説明図である。
【図１４】基地局により各レイヤで送信される信号の第６の例を説明するための説明図である。
【図１５】レイヤごとの帯域幅の例を説明するための説明図である。
【図１６】同実施形態に係る全体の処理の概略的な流れの一例を示すシーケンス図である。
【図１７】同実施形態に係る端末装置の処理の概略的な流れの一例を示すシーケンス図である。
【図１８】一般的なフレーム構造を説明するための説明図である。
【図１９】変形例に係るフレーム構成の一例を説明するための説明図である。
【図２０】変形例において基地局により各レイヤで送信される信号の第１の例を説明するための説明図である。
【図２１】変形例において基地局により各レイヤで送信される信号の第２の例を説明するための説明図である。
【図２２】変形例において基地局により各レイヤで送信される信号の第３の例を説明するための説明図である。
【図２３】変形例において基地局により各レイヤで送信される信号の第４の例を説明するための説明図である。
【図２４】変形例において基地局により各レイヤで送信される信号の第５の例を説明するための説明図である。
【図２５】時間フレームの長さの変更の一例を説明するための説明図である。
【図２６】他の実施形態に係るフレーム構成の一例を説明するための説明図である。
【図２７】ｅＮＢの概略的な構成の第１の例を示すブロック図である。
【図２８】ｅＮＢの概略的な構成の第２の例を示すブロック図である。
【図２９】スマートフォンの概略的な構成の一例を示すブロック図である。
【図３０】カーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．ＳＰＣ
２．システムの概略的な構成
３．各装置の構成
３．１．基地局の構成
３．２．端末装置の構成
４．技術的特徴
５．処理の流れ
６．変形例
７．他の実施形態
７．１．技術的課題
７．２．技術的特徴
８．応用例
８．１．基地局に関する応用例
８．２．端末装置に関する応用例
９．まとめ
【００１５】
＜＜１．ＳＰＣ＞＞
図１〜図３を参照して、ＳＰＣの処理及び信号を説明する。
【００１６】
（ａ）送信装置における処理
図１及び図２は、ＳＰＣをサポートする送信装置における処理の一例を説明するための説明図である。図１を参照すると、例えば、ユーザＡ、ユーザＢ及びユーザＣの各々のビットストリーム（例えば、トランスポートブロック）が処理される。これらのビットストリームの各々について、いくつかの処理（例えば、図２に示されるような）ＣＲＣ（Cyclic  Redundancy  Check）符号化、ＦＥＣ（Forward  Error  Correction）符号化、レートマッチング及びスクランブリング／インターリービング）が行われ、その後変調が行われる。そして、レイヤマッピング、電力割当て、プリコーディング、ＳＰＣ多重、リソースエレメントマッピング、ＩＤＦＴ（Inverse  Discrete  Fourier  Transform）／ＩＦＦＴ（Inverse  Fast  Fourier  Transform）、ＣＰ（Cyclic  Prefix）挿入、並びに、デジタルからアナログ及びＲＦ（Radio  Frequency）への変換などが行われる。
【００１７】
とりわけ、電力割当てにおいて、ユーザＡ、ユーザＢ及びユーザＣの各々の信号に電力が割り当てられ、ＳＰＣ多重化において、ユーザＡ、ユーザＢ及びユーザＣの信号が多重化される。
【００１８】
（ｂ）受信装置における処理
図３は、干渉除去を行う受信装置における処理の一例を説明するための説明図である。図３を参照すると、例えば、ＲＦ及びアナログからデジタルへの変換、ＣＰ除去（removal）、ＤＦＴ（Discrete  Fourier  Transform）／ＦＦＴ（Fast  Fourier  Transform）、並びに、ジョイント干渉除去、等化及び復号などが行われる。その結果、ユーザＡ、ユーザＢ及びユーザＣの各々のビットストリーム（例えば、トランスポートブロック）が得られる。
【００１９】
（２）送信信号及び受信信号
（ａ）ダウンリンク
次に、ＳＰＣが採用される場合のダウンリンクの送信信号及び受信信号を説明する。ここでは、ＨｅｔＮｅｔ（Heterogeneous  Network）又はＳＣＥ（Small  Cell  Enhancement）などのマルチセルシステムを想定する。
【００２０】
対象のユーザｕが接続するセルのインデックスをｉで表し、当該セルに対応する基地局の送信アンテナの数をＮＴＸ，ｉで表す。当該送信アンテナの各々は、送信アンテナポートとも呼ばれ得る。セルｉからユーザｕへの送信信号は、以下のようにベクトル形式で表されることが可能である。
【００２１】
【数１】
2016157918.tif 000003
【００２２】
【数２】
2016157918.tif 000004
【００２３】
【数３】
2016157918.tif 000005
【００２４】
【数４】
2016157918.tif 000006
【００２５】
上述した式において、ＮＳＳ，ｕは、ユーザｕについての空間送信ストリーム数である。基本的には、ＮＳＳ，ｕは、ＮＴＸ，ｉ以下の正の整数である。ベクトルｘｉ，ｕは、ユーザｕへの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｕは、ユーザｕについてのプリコーディング行列である。この行列内の要素は、基本的には複素数であるが、実数であってもよい。
【００２６】
行列Ｐｉ，ｕは、セルｉにおけるユーザｕのための電力割当て係数行列である。この行列では、各要素が正の実数であることが望ましい。なお、この行列は、以下のような対角行列（即ち、対角成分以外が０である行列）であってもよい。
【００２７】
【数５】
2016157918.tif 000007
【００２８】
空間ストリームについて適応的な電力割当てが行われない場合には、行列Ｐｉ，ｕの代わりに、スカラ値Ｐｉ，ｕが用いられてもよい。
【００２９】
セルｉには、ユーザｕのみではなく他のユーザｖも存在し、他のユーザｖの信号ｓｉ，ｖも、同一の無線リソースで送信される。これらの信号は、ＳＰＣにより多重化される。多重化後のセルｉからの信号ｓｉは、以下のように表される。
【００３０】
【数６】
2016157918.tif 000008
【００３１】
上述した式において、Ｕｉは、セルｉにおいて多重化されるユーザの集合である。ユーザｕのサービングセル以外のセルｊ（ユーザｕにとっての干渉源となるセル）でも、同様に送信信号ｓｊが生成される。ユーザ側では、このような信号が干渉として受信される。ユーザｕの受信信号ｒｕは、以下のように表されることが可能である。
【００３２】
【数７】
2016157918.tif 000009
【００３３】
【数８】
2016157918.tif 000010
【００３４】
【数９】
2016157918.tif 000011
【００３５】
上述した式において、行列Ｈｕ，ｉは、セルｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【００３６】
【数１０】
2016157918.tif 000012
【００３７】
受信信号ｒｕは、以下のように、所望信号と他の信号とにより表されることも可能である。
【００３８】
【数１１】
2016157918.tif 000013
【００３９】
上述した式において、右辺の第１項は、ユーザｕの所望信号、第２項は、ユーザｕのサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。
【００４０】
なお、直交多元接続（例えば、ＯＦＤＭＡ又はＳＣ−ＦＤＭＡ）などが採用される場合には、受信信号は、以下のように表されることが可能である。
【００４１】
【数１２】
2016157918.tif 000014
【００４２】
直交多元接続では、セル内干渉がなく、また、他のセルｊにおいても他のユーザｖの信号が同一の無線リソースにおいて多重化されない。
【００４３】
（ｂ）アップリンク
次に、ＳＰＣが採用される場合のアップリンクの送信信号及び受信信号を説明する。ここでは、ＨｅｔＮｅｔ又はＳＣＥなどのマルチセルシステムを想定する。なお、信号などを表す記号として、ダウンリンクについて用いられた記号を流用する。
【００４４】
セルｉにおいてユーザｕが送信する送信信号は、以下のようにベクトル形式で表されることが可能である。
【００４５】
【数１３】
2016157918.tif 000015
【００４６】
【数１４】
2016157918.tif 000016
【００４７】
【数１５】
2016157918.tif 000017
【００４８】
【数１６】
2016157918.tif 000018
【００４９】
上述した式において、送信アンテナ数は、ユーザの送信アンテナの数ＮＴＸ，ｕである。セルｉにおけるユーザｕのための電力割当て係数行列である行列Ｐｉ，ｕは、ダウンリンクのケースと同様に、対角行列であってもよい。
【００５０】
アップリンクでは、ユーザ内で、当該ユーザの信号と他のユーザの信号とを多重化することはないので、セルｉの基地局の受信信号は、以下のように表されることが可能である。
【００５１】
【数１７】
2016157918.tif 000019
【００５２】
【数１８】
2016157918.tif 000020
【００５３】
【数１９】
2016157918.tif 000021
【００５４】
ダウンリンクのケースとは異なり、アップリンクのケースでは、基地局は、セル内の複数のユーザからの信号を全て復号することが必要であるという点に留意すべきである。さらに、チャネル応答行列がユーザによって異なるという点も留意が必要である。
【００５５】
とりわけ、セルｉ内のアップリンク信号の中でも、ユーザｕにより送信される信号に着目すると、受信信号は、以下のように表されることが可能である。
【００５６】
【数２０】
2016157918.tif 000022
【００５７】
上述した式において、右辺の第１項は、ユーザｕの所望信号、第２項は、ユーザｕのサービングセルｉ内の干渉（セル内干渉、又は、マルチユーザ干渉若しくはマルチアクセス干渉などと呼ばれる）、第３項は、セルｉ以外のセルからの干渉（セル間干渉と呼ばれる）である。
【００５８】
なお、直交多元接続（例えば、ＯＦＤＭＡ又はＳＣ−ＦＤＭＡ）などが採用される場合には、受信信号は、以下のように表されることが可能である。
【００５９】
【数２１】
2016157918.tif 000023
【００６０】
直交多元接続では、セル内干渉がなく、また、他のセルｊにおいても他のユーザｖの信号が同一の無線リソースにおいて多重化されない。
【００６１】
＜＜２．システムの概略的な構成＞＞
続いて、図４〜図６を参照して、本開示の実施形態に係るシステム１の概略的な構成を説明する。図４は、本開示の実施形態に係るシステム１の概略的な構成の一例を示す説明図である。図４を参照すると、システム１は、基地局１００、端末装置２００及び端末装置３００を含む。ここでは、端末装置２００及び端末装置３００の各々は、ユーザとも呼ばれる。
【００６２】
なお、ここでは、より容易な理解のために、１つの端末装置２００及び１つの端末装置３００のみが示されているが、当然ながら、システム１は、複数の端末装置２００及び／又は複数の端末装置３００を含み得る。
【００６３】
（１）基地局１００
基地局１００は、セルラーシステム（又は移動体通信システム）の基地局である。基地局１００は、基地局１００のセル１０１内に位置する端末装置（例えば、端末装置２００及び端末装置３００の各々）との無線通信を行う。例えば、基地局１００は、端末装置へのダウンリンク信号を送信し、端末装置からのアップリンク信号を受信する。
【００６４】
とりわけ本開示の実施形態では、後述するように、基地局１００は、非直交多元接続（Non-Orthogonal  Multiple  Access：ＮＯＭＡ）をサポートする。
【００６５】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００６６】
とりわけ本開示の実施形態では、後述するように、端末装置２００は、非直交多元接続（ＮＯＭＡ）をサポートする。例えば、端末装置２００は、干渉除去（例えば、他の端末装置への信号を干渉信号として除去すること）を行うことができる。当該干渉除去は、例えば、ＳＩＣ（Successive  Interference  Cancellation）又はＰＩＣ（Parallel  Interference  Cancellation）などである。
【００６７】
（３）端末装置３００
端末装置３００は、セルラーシステム（又は移動体通信システム）において通信可能である。端末装置３００は、セルラーシステムの基地局（例えば、基地局１００）との無線通信を行う。例えば、端末装置２００は、基地局からのダウンリンク信号を受信し、基地局へのアップリンク信号を送信する。
【００６８】
とりわけ本開示の実施形態では、後述するように、端末装置３００は、非直交多元接続（ＮＯＭＡ）をサポートしない。例えば、端末装置２００は、干渉除去（例えば、他の端末装置への信号を干渉信号として除去すること）を行うことができない。そのため、本明細書において、端末装置３００は、レガシ（legacy）端末とも呼ばれる。
【００６９】
（４）周波数帯域
基地局１００は、１つ以上の周波数帯域を使用して端末装置との無線通信を行う。例えば、基地局１００は、キャリアグリゲーション（Carrier  Aggregation：ＣＡ）をサポートし、上記１つ以上の周波数帯域の各々は、コンポーネントキャリア（Component  Carrier：ＣＣ）である。以下、図５を参照して、基地局１００が使用する周波数帯域の例を説明する。
【００７０】
図５は、基地局１００により使用される周波数帯域の一例を説明するための説明図である。図５を参照すると、ＣＣ３１及びＣＣ３３が示されている。例えば、基地局１００は、ＣＣ３１及びＣＣ３３を使用して端末装置との無線通信を行う。
【００７１】
（５）非直交多元接続（ＮＯＭＡ）
とりわけ本開示の実施形態では、上述したように、基地局１００及び端末装置２００は、非直交多元接続（ＮＯＭＡ）をサポートする。
【００７２】
例えば、ダウンリンクにおいて、当該非直交多元接続の無線通信が行われる。即ち、基地局１００は、上記周波数帯域において多重化される複数のレイヤの各々で信号を送信する。端末装置２００は、上記周波数帯域において多重化される上記複数のレイヤのうちの少なくとも１つのレイヤで送信される信号の復号を行う。なお、端末装置２００は、干渉除去（interference  cancellation）として、上記複数のレイヤのうちの他のレイヤで送信される信号を干渉として除去し得る。
【００７３】
例えば、当該非直交多元接続は、電力割当てを用いた非直交多元接続である。より具体的には、例えば、当該非直交多元接続は、ＳＰＣ（Superposition  Coding）を用いた非直交多元接続（即ち、ＳＰＣ−ＮＯＭＡ）である。以下、図６を参照して、上記非直交多元接続の例を説明する。
【００７４】
図６は、上記非直交多元接続の一例を説明するための説明図である。図６を参照すると、図５と同様に、ＣＣ３１及びＣＣ３３が示されている。この例では、ＳＰＣを用いた非直交多元接続がＣＣ３３に適用され、ＣＣ３３においてレイヤ１及びレイヤ２が多重化される。基地局１００は、より大きい電力をレイヤ１に割り当て、より小さい電力をレイヤ２に割り当てる。一例として、基地局１００は、ＣＣ３３においてレイヤ２で端末装置２００への信号を送信し、ＣＣ３３においてレイヤ１で他の端末装置（例えば、他の端末装置２００、又は端末装置３００）への信号を送信する。この場合に、端末装置２００は、レイヤ１で送信される当該信号を干渉として受信信号から除去し、レイヤ２で送信される上記信号の復号を行う。
【００７５】
なお、ダウンリンクに加えて、アップリンクにおいても、上記非直交多元接続の無線通信が行われてもよい。
【００７６】
＜＜３．各装置の構成＞＞
続いて、図７及び図８を参照して、本開示の実施形態に係る基地局１００及び端末装置２００の構成を説明する。
【００７７】
＜３．１．基地局の構成＞
まず、図７を参照して、本開示の実施形態に係る基地局１００の構成の一例を説明する。図７は、本開示の実施形態に係る基地局１００の構成の一例を示すブロック図である。図７を参照すると、基地局１００は、アンテナ部１１０、無線通信部１２０、ネットワーク通信部１３０、記憶部１４０及び処理部１５０を備える。
【００７８】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００７９】
（２）無線通信部１２０
無線通信部１２０は、信号を送受信する。例えば、無線通信部１２０は、端末装置へのダウンリンク信号を送信し、端末装置からのアップリンク信号を受信する。
【００８０】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００８１】
（４）記憶部１４０
記憶部１４０は、基地局１００の動作のためのプログラム及び様々なデータを一時的に又は恒久的に記憶する。
【００８２】
（５）処理部１５０
処理部１５０は、基地局１００の様々な機能を提供する。処理部１５０は、選択部１５１、通知部１５３、送信処理部１５５及び受信処理部１５７を含む。なお、処理部１５０は、これらの構成要素以外の他の構成要素をさらに含み得る。即ち、処理部１５０は、これらの構成要素の動作以外の動作も行い得る。
【００８３】
選択部１５１、通知部１５３、送信処理部１５５及び受信処理部１５７の動作は、後に詳細に説明する。
【００８４】
＜３．２．端末装置の構成＞
まず、図８を参照して、本開示の実施形態に係る端末装置２００の構成の一例を説明する。図８は、本開示の実施形態に係る端末装置２００の構成の一例を示すブロック図である。図８を参照すると、端末装置２００は、アンテナ部２１０、無線通信部２２０、記憶部２３０及び処理部２４０を備える。
【００８５】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００８６】
（２）無線通信部２２０
無線通信部２２０は、信号を送受信する。例えば、無線通信部２２０は、基地局からのダウンリンク信号を受信し、基地局へのアップリンク信号を送信する。
【００８７】
（３）記憶部２３０
記憶部２３０は、端末装置２００の動作のためのプログラム及び様々なデータを一時的に又は恒久的に記憶する。
【００８８】
（４）処理部２４０
処理部２４０は、端末装置２００の様々な機能を提供する。処理部２４０は、情報取得部２４１、通知部２４３、送信処理部２４５及び受信処理部２４７を含む。なお、処理部２４０は、これらの構成要素以外の他の構成要素をさらに含み得る。即ち、処理部２４０は、これらの構成要素の動作以外の動作も行い得る。
【００８９】
情報取得部２４１、通知部２４３、送信処理部２４５及び受信処理部２４７の動作は、後に詳細に説明する。
【００９０】
＜＜４．技術的特徴＞＞
続いて、図９〜図１５を参照して、本開示の実施形態に係る技術的特徴を説明する。
【００９１】
（１）周波数帯域及びレイヤの選択及び通知
基地局１００（選択部１５１）は、非直交多元接続が適用される周波数帯域と、当該非直交多元接続のために当該周波数帯域において多重化される複数のレイヤのうちの少なくとも１つのレイヤとを、端末装置２００への送信に使用される帯域及びレイヤとして選択する。そして、基地局１００（通知部１５３）は、上記周波数帯域及び上記少なくとも１つのレイヤを端末装置２００に通知する。
【００９２】
（ａ）周波数帯域
例えば、基地局１００及び端末装置２００は、キャリアアグリゲーション（ＣＡ）をサポートし、上記周波数帯域は、ＣＡのためのコンポーネントキャリア（ＣＣ）である。一例として、図６を再び参照すると、上記周波数帯域は、ＣＣ３３である。
【００９３】
（ｂ）非直交多元接続及びレイヤ
例えば、上記非直交多元接続は、電力割当てを用いた非直交多元接続である。この場合に、上記複数のレイヤは、電力割当てを用いて上記周波数帯域において多重化される複数のレイヤである。
【００９４】
より具体的には、例えば、当該非直交多元接続は、ＳＰＣを用いた非直交多元接続である。
【００９５】
（ｃ）選択
（ｃ―１）１つのレイヤ
例えば、上記少なくとも１つのレイヤは、上記複数のレイヤのうちの１つのレイヤである。即ち、基地局１００（選択部１５１）は、上記周波数帯域と、上記複数のレイヤのうちの１つのレイヤとを、端末装置２００への送信に使用される帯域及びレイヤとして選択する。
【００９６】
（ｃ―２）ＳＣＣとしての選択
例えば、基地局１００（選択部１５１）は、端末装置２００への送信に使用されるセカンダリコンポーネントキャリア（ＳＣＣ）として上記周波数帯域を選択し、当該ＳＣＣにおいて端末装置２００への送信に使用されるレイヤとして上記少なくとも１つのレイヤを選択する。換言すると、基地局１００（選択部１５１）は、端末装置２００のＳＣＣの追加の際に、ＳＣＣとして追加するＣＣと、ＳＣＣにおいて送信に使用されるレイヤとを選択する。
【００９７】
なお、上記周波数帯域は、ＳＣＣ専用のＣＣ（即ち、プライマリコンポーネントキャリア（ＰＣＣ）として使用されず、ＳＣＣとしてのみ使用されるＣＣ）であってもよい。
【００９８】
（ｃ―３）ハンドオーバ先の帯域としての選択
基地局１００（選択部１５１）は、端末装置２００のハンドオーバ先の帯域として上記周波数帯域を選択し、当該ハンドオーバ先の当該帯域において端末装置２００への送信に使用されるレイヤとして上記少なくとも１つのレイヤを選択してもよい。換言すると、基地局１００（選択部１５１）は、端末装置２００のハンドオーバの際に、ＰＣＣであるハンドオーバ先のＣＣと、ＰＣＣにおいて送信に使用されるレイヤとを選択してもよい。
【００９９】
（ｃ―４）選択の例
一例として、図６を再び参照すると、基地局１００（選択部１５１）は、ＣＣ３３及びレイヤ２を、端末装置２００への送信に使用される帯域及びレイヤとして選択する。別の例として、基地局１００（選択部１５１）は、ＣＣ３３及びレイヤ１を、端末装置２００への送信に使用される帯域及びレイヤとして選択する。
【０１００】
（ｄ）通知
（ｄ−１）第１の例
例えば、基地局１００（通知部１５３）は、端末装置２００へのシグナリング（例えば、ＲＲＣ（Radio  Resource  Control）シグナリング）により、上記周波数帯域及び上記少なくとも１つのレイヤを端末装置２００に通知する。即ち、基地局１００（通知部１５３）は、端末装置２００へのシグナリングメッセージ（例えば、ＲＲＣメッセージ）の中で、上記周波数帯域及び上記少なくとも１つのレイヤを通知する。一例として、上記シグナリングメッセージは、ＲＲＣコネクションリコンフィギュレーションメッセージである。
【０１０１】
具体的な処理として、例えば、通知部１５３は、帯域情報（上記周波数帯域を示す情報）及びレイヤ情報（上記少なくとも１つのレイヤを示す情報）を含むシグナリングメッセージを生成する。そして、送信処理部１５５は、上記シグナリングメッセージの送信処理を行う。
【０１０２】
（ｄ−２）第２の例
上記周波数帯域がＳＣＣとして選択される場合に、基地局１００（通知部１５３）は、端末装置２００へのＭＡＣ（Media  Access  Control）コントロールエレメントの中で、上記周波数帯域及び上記少なくとも１つのレイヤを通知してもよい。当該ＭＡＣコントロールエレメントは、ＳＣＣのアクティベーションのためのものであってもよい。
【０１０３】
具体的な処理として、通知部１５３は、帯域情報（上記周波数帯域を示す情報）及びレイヤ情報（上記少なくとも１つのレイヤを示す情報）を含むＭＡＣコントロールエレメントを生成してもよい。そして、送信処理部１５５は、上記ＭＡＣコントロールエレメントの送信処理を行ってもよい。
【０１０４】
（ｄ−３）端末装置の動作
端末装置２００（情報取得部２４１）は、上記帯域情報（上記周波数帯域を示す情報）と、上記レイヤ情報（上記少なくとも１つのレイヤを示す情報）とを取得する。
【０１０５】
例えば、端末装置２００は、上記帯域情報及び上記レイヤ情報を含む上記シグナリングメッセージ（又は上記ＭＡＣコントロールエレメント）を受信する。そして、端末装置２００（情報取得部２４１）は、上記帯域情報及び上記レイヤ情報を取得する。
【０１０６】
（ｅ）その他
例えば、端末装置２００（通知部２４３）は、端末装置２００が上記非直交多元接続をサポートすることを示すケイパビリティ情報を基地局１００に通知する。具体的には、例えば、端末装置２００（通知部２４３）は、シグナリングメッセージ（例えば、ＲＲＣメッセージ）の中で、上記ケイパビリティ情報を基地局１００に通知する。一例として、当該シグナリングメッセージは、ＵＥケイパビリティ情報メッセージである。
【０１０７】
具体的な処理として、例えば、通知部２４３は、上記シグナリングメッセージを生成する。そして、送信処理部１５５は、上記シグナリングメッセージの送信処理を行う。
【０１０８】
これにより、例えば、基地局１００は、上記非直交多元接続をサポートする端末装置を知ることが可能になる。
【０１０９】
以上のように、基地局１００は、上記周波数帯域及び上記少なくとも１つのレイヤを、端末装置２００への送信に使用される帯域及びレイヤとして選択し、上記周波数帯域及び上記少なくとも１つのレイヤを端末装置２００に通知する。これにより、例えば、非直交多元接続のスケジューリングに関連する負担をより小さくすることが可能になる。より具体的には、例えば、端末装置２００が使用するレイヤは、端末装置２００への信号の送信の度に（即ち、スケジューリングの度に）選択されるわけではなく、周波数帯域の使用の開始の際に選択されるので、基地局１００の処理の負担が軽減され得る。また、端末装置２００が使用するレイヤは、端末装置２００への信号の送信の度に（即ち、スケジューリングの度に）端末装置２００に通知されるわけではなく、周波数帯域の使用の開始の際に端末装置２００に通知されればよいので、無線リソースの消費の負担が軽減され得る。
【０１１０】
（２）レガシ端末（端末装置３００）のケース
例えば、基地局１００（選択部１５１）は、上記周波数帯域と、上記複数のレイヤのうちの、最大の電力を割り当てられるレイヤとを、端末装置３００（即ち、上記非直交多元接続をサポートしていない端末装置）への送信に使用される帯域及びレイヤとして選択する。そして、基地局１００（通知部１５３）は、上記周波数帯域を端末装置３００に通知する。
【０１１１】
（ａ）選択
（ａ−１）ＳＣＣとしての選択
例えば、基地局１００（選択部１５１）は、端末装置３００への送信に使用されるＳＣＣとして、上記周波数帯域を選択し、当該ＳＣＣにおいて端末装置３００への送信に使用されるレイヤとして、最大の電力を割り当てられる上記レイヤを選択する。換言すると、基地局１００（選択部１５１）は、端末装置３００のＳＣＣの追加の際に、ＳＣＣとして追加するＣＣと、ＳＣＣにおいて送信に使用されるレイヤ（最大の電力を割り当てられるレイヤ）とを選択する。
【０１１２】
（ａ―２）ハンドオーバ先の帯域としての選択
基地局１００（選択部１５１）は、端末装置３００のハンドオーバ先の帯域として上記周波数帯域を選択し、当該ハンドオーバ先の当該帯域において端末装置３００への送信に使用されるレイヤとして、最大の電力を割り当てられる上記レイヤを選択してもよい。換言すると、基地局１００（選択部１５１）は、端末装置３００のハンドオーバの際に、プライマコンポーネントキャリア（ＰＣＣ）であるハンドオーバ先のＣＣと、ＰＣＣにおいて送信に使用されるレイヤ（最大の電力を割り当てられるレイヤ）とを選択してもよい。
【０１１３】
（ａ―３）選択の例
一例として、図６を再び参照すると、基地局１００（選択部１５１）は、ＣＣ３３及びレイヤ１を、端末装置３００への送信に使用される帯域及びレイヤとして選択する。
【０１１４】
（ｂ）通知
上述したように、基地局１００（通知部１５３）は、上記周波数帯域を端末装置３００に通知する。なお、基地局１００（通知部１５３）は、最大の電力を割り当てられる上記レイヤを端末装置３００に通知しない。レガシ端末である端末装置３００は、レイヤを知ることができず、また知る必要がないからである。
【０１１５】
（ｂ−１）第１の例
例えば、基地局１００（通知部１５３）は、端末装置３００へのシグナリング（例えば、ＲＲＣシグナリング）により、上記周波数帯域を端末装置３００に通知する。即ち、基地局１００（通知部１５３）は、端末装置３００へのシグナリングメッセージ（例えば、ＲＲＣメッセージ）の中で、上記周波数帯域を通知する。一例として、上記シグナリングメッセージは、ＲＲＣコネクションリコンフィギュレーションメッセージである。
【０１１６】
具体的な処理として、例えば、通知部１５３は、帯域情報（上記周波数帯域を示す情報）を含むシグナリングメッセージを生成する。そして、送信処理部１５５は、上記シグナリングメッセージの送信処理を行う。
【０１１７】
（ｂ−２）第２の例
上記周波数帯域がＳＣＣとして選択される場合に、基地局１００（通知部１５３）は、端末装置３００へのＭＡＣコントロールエレメントの中で、上記周波数帯域を通知してもよい。当該ＭＡＣコントロールエレメントは、ＳＣＣのアクティベーションのためのものであってもよい。
【０１１８】
具体的な処理として、通知部１５３は、帯域情報（上記周波数帯域を示す情報）を含むＭＡＣコントロールエレメントを生成してもよい。そして、送信処理部１５５は、上記ＭＡＣコントロールエレメントの送信処理を行ってもよい。
【０１１９】
（ｂ−３）端末装置の動作
例えば、端末装置３００は、上記帯域情報（上記周波数帯域を示す情報）を取得する。
【０１２０】
例えば、端末装置３００は、上記帯域情報を含む上記シグナリングメッセージ（又は上記ＭＡＣコントロールエレメント）を受信する。そして、端末装置３００は、上記帯域情報を取得する。
【０１２１】
以上のように、例えば、基地局１００（選択部１５１）は、上記周波数帯域と、最大の電力を割り当てられる上記レイヤとを、端末装置３００への送信に使用される帯域及びレイヤとして選択し、上記周波数帯域を端末装置３００に通知する。これにより、例えば、後方互換性（backward  compatibility）が確保され得る。即ち、非直交多元接続が適用される周波数帯域においても、レガシ端末（端末装置３００）が無線通信を行うことが可能になる。より具体的には、例えば、受信信号の中に他のレイヤの信号（即ち、干渉信号）が含まれていたとしても、レガシ端末（端末装置３００）への信号にはより大きい電力が割り当てられているので、レガシ端末は（例えば干渉除去を行うことなく）自らへの信号の復号を行うことができる。
【０１２２】
なお、当然ならが、基地局１００（選択部１５１）は、上記周波数帯域と、最大の電力を割り当てられる上記レイヤとを、端末装置３００ではなく端末装置２００（又は他の端末装置２００（図示せず））への送信に使用される帯域及びレイヤとして選択してもよい。
【０１２３】
（３）レイヤでの送受信
（ａ）基地局１００による送信
基地局１００（送信処理部１５５）は、上記周波数帯域において信号を送信する。より具体的には、基地局１００（送信処理部１５５）は、上記周波数帯域において上記複数のレイヤの各々で信号を送信する。
【０１２４】
とりわけ、基地局１００（送信処理部１５５）は、上記周波数帯域において、上記少なくとも１つのレイヤ（端末装置２００への送信に使用されるレイヤ）で、端末装置２００への信号を送信する。
【０１２５】
例えば、基地局１００（送信処理部１５５）は、上記周波数帯域において、最大の電力を割り当てられる上記レイヤで、端末装置３００への信号を送信する。
【０１２６】
一例として、図６を再び参照すると、基地局１００は、ＣＣ３３において、レイヤ２で端末装置２００への信号を送信し、レイヤ１で、端末装置３００への信号を送信する。
【０１２７】
なお、本明細書において、「送信処理部１５５が、端末装置への信号を送信する」とは、「送信処理部１５５が、端末装置への信号を送信するための送信処理を行う」ことを意味する。ここでの送信処理は、例えば、物理層（Physical  Layer）のデジタル処理を含む。
【０１２８】
（ｂ）端末装置２００による受信
上述したように、端末装置２００（情報取得部２４１）は、上記帯域情報（上記周波数帯域を示す情報）と、上記レイヤ情報（上記少なくとも１つのレイヤを示す情報）とを取得する。そして、端末装置２００（受信処理部２４７）は、上記周波数帯域において上記少なくとも１つのレイヤ（即ち、端末装置２００への送信に使用されるレイヤ）で送信される信号の復号を行う。
【０１２９】
例えば、上記少なくとも１つのレイヤ（即ち、端末装置２００への送信に使用されるレイヤ）は、上記複数のレイヤのうちの１つのレイヤである。
【０１３０】
第１のケースでは、例えば、上記１つのレイヤは、上記複数のレイヤのうちの、最大の電力を割り当てられるレイヤである。この場合に、例えば、端末装置２００は、受信信号（即ち、多重化信号）から、上記１つのレイヤで送信される信号の復号を行う。
【０１３１】
第２のケースでは、例えば、上記１つのレイヤは、上記複数のレイヤのうちの、最大の電力を割り当てられるレイヤとは異なるレイヤである。この場合に、例えば、端末装置２００は、他のレイヤ（例えば、上記１つのレイヤよりも大きい電力を割り当てられるレイヤ）で送信される信号を干渉レプリカ信号として生成し、受信信号から当該干渉レプリカ信号を除去する。そして、端末装置２００は、除去後の受信信号から、上記１つのレイヤで送信される信号の復号を行う。
【０１３２】
一例として、図６を再び参照すると、基地局１００は、ＣＣ３３においてレイヤ２で端末装置２００への信号を送信する。この場合に、端末装置２００は、ＣＣ３３においてレイヤ１で送信される信号を干渉レプリカ信号として生成し、ＣＣ３３の受信信号から当該干渉レプリカ信号を除去する。そして、端末装置２００は、除去後の受信信号から、ＣＣ３３においてレイヤ２で送信される信号の復号を行う。
【０１３３】
（ｃ）レガシ端末（端末装置３００）による受信
上述したように、端末装置３００は、上記帯域情報（上記周波数帯域を示す情報）を取得する。そして、端末装置３００は、上記周波数帯域において送信される信号（実際には、最大の電力を割り当てられる上記レイヤで送信される信号）の復号を行う。なお、端末装置２００は、レガシ端末（上記非直交多元接続をサポートしない端末装置）であり、レイヤを意識することなく、信号の復号を行う。
【０１３４】
（ｄ）各レイヤにおいて送信される信号
（ｄ―１）物理データチャネルの信号
例えば、基地局１００（送信処理部１５５）は、上記周波数帯域において上記複数のレイヤの各々で物理データチャネルの信号を送信する。
【０１３５】
上記物理データチャネルは、データ信号（及び制御信号）の送信に使用されるチャネルである。そのため、上記物理データチャネルの上記信号は、データ信号（及び制御信号）である。
【０１３６】
一例として、上記物理データチャネルは、ＰＤＳＣＨ（Physical  Downlink  Shared  Channel）である。しかしながら、上記物理データチャネルは、この例に限れず、将来の標準規格において他の名称を有してもよい。
【０１３７】
これにより、例えば、データ信号が多重化され、基地局１００がより多くのデータ信号を送信することが可能になる。
【０１３８】
（ｄ―２）物理制御チャネルの信号
例えば、基地局１００（送信処理部１５５）は、上記周波数帯域において物理制御チャネルの信号を送信する。
【０１３９】
上記物理制御チャネルは、制御信号の送信に使用されるチャネルである。そのため、上記物理データチャネルの上記信号は、制御信号である。より具体的には、例えば、当該制御信号は、ダウンリンク制御情報（Downlink  Control  Information：ＤＣＩ）の信号である。
【０１４０】
一例として、上記物理制御チャネルは、ＰＤＣＣＨ（Physical  Downlink  Control  Channel）である。しかしながら、上記物理制御チャネルは、この例に限れず、将来の標準規格において他の名称を有してもよい。
【０１４１】
−１つのレイヤでの送信
例えば、基地局１００（送信処理部１５５）は、上記周波数帯域において、上記複数のレイヤのうちの１つのレイヤで、上記物理制御チャネルの上記信号を送信する。
【０１４２】
例えば、上記物理制御チャネルの上記信号は、上記複数のレイヤの各々についてのスケジューリング情報の信号を含む。これは、クロスレイヤスケジューリングと言われ得る。また、例えば、上記複数のレイヤのうちの上記１つのレイヤは、上記複数のレイヤのうちの、最大の送信電力を割り当てられるレイヤである。以下、図９及び図１０を参照して、基地局１００により各レイヤで送信される信号の例を説明する。
【０１４３】
図９は、基地局１００により各レイヤで送信される信号の第１の例を説明するための説明図である。図９を参照すると、ＣＣ３３のレイヤ１及びレイヤ２が示されている。この例では、サブフレームのうちの１〜３番目のシンボルは、レイヤ１ではＰＤＣＣＨが配置されるシンボルであり、レイヤ２ではヌル（null）シンボルである。即ち、基地局１００は、１〜３番目のシンボルにおいて、レイヤ１ではＰＤＣＣＨの信号を送信し、レイヤ２ではいずれの信号も送信しない。これにより、レイヤ１の通信品質が向上し得る。とりわけ、レイヤ１で送信されるＰＤＣＣＨの信号は、レイヤ１及びレイヤ２の両方のスケジューリング情報の信号を含む。また、サブフレームのうちの４番目〜１４番目のシンボルは、レイヤ１及びレイヤ２の両方で、ＰＤＳＣＨが配置されるシンボルである。即ち、基地局１００は、４〜１４番目のシンボルにおいて、レイヤ１及びレイヤ２の両方でＰＤＳＣＨの信号を送信する。
【０１４４】
図１０は、基地局１００により各レイヤで送信される信号の第２の例を説明するための説明図である。図１０を参照すると、ＣＣ３３のレイヤ１及びレイヤ２が示されている。とりわけこの例では、サブフレームのうちの１〜３番目のシンボルは、レイヤ２では、ヌル（null）シンボルではなく、ＰＤＳＣＨが配置されるシンボルである。即ち、基地局１００は、１〜３番目のシンボルにおいて、レイヤ１ではＰＤＣＣＨの信号を送信し、レイヤ２ではＰＤＳＣＨの信号を送信する。これにより、基地局１００はより多くのデータ信号を送信し得る。
【０１４５】
なお、基地局１００（送信処理部１５５）は、上記周波数帯域において上記１つのレイヤで上記物理制御チャネルの信号を送信する代わりに、上記周波数帯域において多重化なしで上記物理制御チャネルの信号を送信してもよい。
【０１４６】
このような第１の例によれば、端末装置２００によるスケジューリング情報の取得がより容易になり得る。より具体的には、例えば、端末装置２００は、端末装置２００への送信に使用されるレイヤによらず、干渉除去なしでスケジューリング情報を取得し得る。
【０１４７】
−各レイヤでの送信
基地局１００（送信処理部１５５）は、上記周波数帯域において、上記複数のレイヤの各々で物理制御チャネルの信号を送信してもよい。以下、図１１を参照して、基地局１００により各レイヤで送信される信号の例を説明する。
【０１４８】
図１１は、基地局１００により各レイヤで送信される信号の第３の例を説明するための説明図である。図１１を参照すると、ＣＣ３３のレイヤ１及びレイヤ２が示されている。この例では、サブフレームのうちの１〜３番目のシンボルは、レイヤ１及びレイヤ２の両方で、ＰＤＣＣＨが配置されるシンボルである。即ち、基地局１００は、１〜３番目のシンボルにおいて、レイヤ１及びレイヤ２の両方で、ＰＤＣＣＨの信号を送信する。レイヤ１で送信されるＰＤＣＣＨの信号は、レイヤ１のスケジューリング情報の信号を含み、レイヤ２で送信されるＰＤＣＣＨの信号は、レイヤ２のスケジューリング情報の信号を含む。また、サブフレームのうちの４番目〜１４番目のシンボルは、レイヤ１及びレイヤ２の両方で、ＰＤＳＣＨが配置されるシンボルである。即ち、基地局１００は、４〜１４番目のシンボルにおいて、レイヤ１及びレイヤ２の両方でＰＤＳＣＨの信号を送信する。
【０１４９】
このような第２の例によれば、スケジューリング情報がより簡素化され得る。
【０１５０】
−クロスキャリアスケジューリング
基地局１００（送信処理部１５５）は、上記周波数帯域において物理制御チャネルの信号を送信しなくてもよい。その代わりに、基地局１００（送信処理部１５５）は、他の周波数帯域において物理制御チャネルの信号を送信し、当該信号は、上記複数のレイヤの各々についてのスケジューリング情報の信号を含んでもよい。即ち、クロスキャリアスケジューリングが行われてもよい。以下、図１２を参照して、基地局１００により各レイヤで送信される信号の例を説明する。
【０１５１】
図１２は、基地局１００により各レイヤで送信される信号の第４の例を説明するための説明図である。図１２を参照すると、ＣＣ３１及びＣＣ３３が示され、さらにＣＣ３３のレイヤ１及びレイヤ２が示されている。この例では、ＣＣ３３において、レイヤ１及びレイヤ２のいずれにもＰＤＣＣＨが配置されない。その代わりに、ＣＣ３１において、ＰＤＣＣＨが配置され、当該ＰＤＣＣＨで、ＣＣ３３のレイヤ１及びレイヤ２のスケジューリング情報が送信される。即ち、基地局１００は、ＣＣ３１の１〜３番目のシンボルにおいて、ＰＤＣＣＨの信号を送信し、当該信号は、ＣＣ３３のレイヤ１及びレイヤ２のスケジューリング情報の信号を含む。なお、ＣＣ３３において、サブフレームの全てのシンボルは、レイヤ１及びレイヤ２の両方で、ＰＤＳＣＨが配置されるシンボルである。即ち、基地局１００は、全てのシンボルにおいて、レイヤ１及びレイヤ２の両方でＰＤＳＣＨの信号を送信する。
【０１５２】
（ｄ―３）他の信号
さらに、例えば、基地局１００は、上記周波数帯域において他の信号も送信する。
【０１５３】
−他の信号
例えば、上記他の信号は、同期信号を含む。例えば、当該同期信号は、ＰＳＳ（Primary  Synchronization  Signal）及びＳＳＳ（Secondary  Synchronization  Signal）を含む。
【０１５４】
例えば、上記他の信号は、物理報知チャネル（Physical  Broadcast  Channel：ＰＢＣＨ）の信号を含む。
【０１５５】
−第１の例
第１の例として、基地局１００（送信処理部１５５）は、上記周波数帯域において、上記複数のレイヤのうちの１つのレイヤで、上記他の信号を送信する。以下、図１３及び図１４を参照して、基地局１００により各レイヤで送信される信号の例を説明する。
【０１５６】
図１３は、基地局１００により各レイヤで送信される信号の第５の例を説明するための説明図である。図１３を参照すると、ＣＣ３３のレイヤ１及びレイヤ２が示されている。この例では、基地局１００は、ＣＣ３３において、レイヤ１で、ＰＳＳ及びＳＳＳ、並びに、ＰＢＣＨの信号を送信する。一方、基地局１００は、ＣＣ３３において、レイヤ２では、ＰＳＳ及びＳＳＳ、並びに、ＰＢＣＨの信号のいずれも送信しない。とりわけこの例では、基地局１００は、ＰＳＳ及びＳＳＳのための無線リソース、及び、ＰＢＣＨのための無線リソースにおいて、レイヤ２ではいずれの信号も送信しない。これにより、レイヤ１の通信品質が向上し得る。より具体的には、例えば、ＰＳＳ及びＳＳＳ並びにＰＢＣＨの品質が向上し得る。
【０１５７】
図１４は、基地局１００により各レイヤで送信される信号の第６の例を説明するための説明図である。図１４を参照すると、ＣＣ３３のレイヤ１及びレイヤ２が示されている。とりわけこの例では、基地局１００は、ＰＳＳ及びＳＳＳのための無線リソース、及び、ＰＢＣＨのための無線リソースにおいて、レイヤ２ではＰＤＳＣＨの信号を送信する。これにより、基地局１００はより多くのデータ信号を送信し得る。
【０１５８】
なお、基地局１００（送信処理部１５５）は、上記周波数帯域において上記１つのレイヤで上記他の信号を送信する代わりに、上記周波数帯域において多重化なしで上記他の信号を送信してもよい。
【０１５９】
−第２の例
第２の例として、基地局１００（送信処理部１５５）は、上記周波数帯域において、上記複数のレイヤの各々で上記他の信号（例えば、同期信号及び／又はＰＢＣＨの信号）を送信してもよい。これにより、例えば、レイヤを独立したＣＣとして扱うことが可能になる。
【０１６０】
（ｅ）その他
（ｅ−１）レイヤごとの帯域幅
上記複数のレイヤに含まれる少なくとも２つのレイヤの間で、使用される周波数リソースの帯域幅が異なっていてもよい。以下、図１５を参照して具体例を説明する。
【０１６１】
図１５は、レイヤごとの帯域幅の例を説明するための説明図である。図１５を参照すると、ＣＣ３１及びＣＣ３３が示されている。例えば、ＣＣ３３のレイヤ１では、ＣＣ３３全体が使用され、ＣＣ３３のレイヤ２では、ＣＣ３３の一部である部分帯域３５が使用される。
【０１６２】
（ｅ−２）レイヤの取扱い
上記複数のレイヤの各々は、コンポーネントキャリアと同様に取り扱われてもよい。例えば、上記複数のレイヤの各々でシステム情報が送信されてもよい。また、例えば、上記複数のレイヤの各々が、端末装置２００のためにアクティベート又はディアクティベートされてもよい。
【０１６３】
（４）レイヤの再選択及び通知
例えば、基地局１００（選択部１５１）は、上記複数のレイヤのうちの他のレイヤを、端末装置２００への送信に使用されるレイヤとして再選択する。そして、基地局１００（通知部１５３）は、上記他のレイヤを端末装置２００に通知する。即ち、基地局１００は、周波数帯域（例えば、ＣＣ）を変更せずに、レイヤのみを変更し、変更後のレイヤを端末装置２００に通知する。このようなレイヤの再選択（レイヤの変更）は、レイヤ間のハンドオーバとも言える。
【０１６４】
一例として、図６を再び参照すると、端末装置２００がＣＣ３３のレイヤ２を使用している。この場合に、基地局１００は、ＣＣ３３のレイヤ１を、端末装置２００への送信に使用されるレイヤとして再選択する。そして、基地局１００は、レイヤ１を端末装置２００に通知する。
【０１６５】
例えば、基地局１００は、端末装置２００による測定の結果に基づいて、上記他のレイヤを再選択する。より具体的には、例えば、端末装置２００の通信品質が悪くなった場合に、基地局１００は、端末装置２００への送信に使用されるレイヤとして、より大きい電力が割り当てられるレイヤ（例えば、図６に示されるＣＣ３のレイヤ１）を再選択する。一方、例えば、端末装置２００の通信品質が良くなった場合に、基地局１００は、端末装置２００への送信に使用されるレイヤとして、より小さい電力が割り当てられるレイヤ（例えば、図６に示されるＣＣ３のレイヤ２）を再選択する。
【０１６６】
これにより、例えば、端末装置２００にレイヤを柔軟に使用させることが可能になる。
【０１６７】
＜＜５．処理の流れ＞＞
続いて、図１６及び図１７を参照して、本開示の実施形態に係る技術的特徴を説明する。
【０１６８】
（１）全体の処理
図１６は、本開示の実施形態に係る全体の処理の概略的な流れの一例を示すシーケンス図である。
【０１６９】
基地局１００は、ＵＥケイパビリティ問合せ（UE  capability  enquiry）メッセージを端末装置２００へ送信する（Ｓ４０１）。
【０１７０】
端末装置２００は、ＵＥケイパビリティ情報メッセージを送信する（Ｓ４０３）。当該ＵＥケイパビリティ情報メッセージは、端末装置２００が非直交多元接続（ＮＯＭＡ）をサポートすることを示すケイパビリティ情報を含む。例えばこのように、端末装置２００は、当該ケイパビリティ情報を基地局１００に通知する。
【０１７１】
基地局１００は、上記非直交多元接続が適用されるＣＣと、上記非直交多元接続のために当該ＣＣにおいて多重化される複数のレイヤのうちの少なくとも１つのレイヤとを、端末装置２００への送信に使用される帯域及びレイヤとして選択する（Ｓ４０５）。
【０１７２】
基地局１００は、ＲＲＣコネクションリコンフィギュレーションメッセージを端末装置２００へ送信する（Ｓ４０７）。当該ＲＲＣコネクションリコンフィギュレーションメッセージは、上記ＣＣを示す帯域情報と、上記少なくとも１つのレイヤを示すレイヤ情報とを含む。例えばこのように、基地局１００は、上記ＣＣ及び上記少なくとも１つのレイヤを端末装置２００に通知する。
【０１７３】
端末装置２００は、上記帯域情報及び上記レイヤ情報を取得し、ＲＲＣコネクションリコンフィギュレーションコンプリートメッセージを基地局１００へ送信する（Ｓ４０９）。
【０１７４】
基地局１００は、上記ＣＣにおいてＰＤＣＣＨの信号を送信する（Ｓ４１１）。例えば、基地局１００は、上記ＣＣにおいて、上記複数のレイヤのうちの１つのレイヤで、ＰＤＣＣＨの信号を送信する。
【０１７５】
端末装置２００は、ＰＤＣＣＨの信号の復号を行うことにより、ダウンリンク制御情報（Downlink  Control  Information：ＤＣＩ）を取得する（Ｓ４１３）。当該ダウンリンク制御情報は、スケジューリング情報を含む。当該スケジューリング情報は、上記ＣＣの上記少なくとも１つのレイヤのスケジューリング情報である。
【０１７６】
基地局１００は、上記ＣＣにおいて上記複数のレイヤの各々でＰＤＳＣＨの信号を送信する（Ｓ４１５）。例えば、基地局１００は、上記ＣＣにおいて上記少なくとも１つのレイヤで端末装置２００への信号を送信する。
【０１７７】
端末装置２００は、上記ＣＣにおいて上記少なくとも１つのレイヤで送信される信号の復号を行う（Ｓ４１７）。そして、端末装置２００は、ＡＣＫ（Acknowledgement）／ＮＡＣＫ（Negative  Acknowledgement）を基地局１００へ送信する（Ｓ４１９）。
【０１７８】
（２）端末装置２００における処理
図１７は、本開示の実施形態に係る端末装置２００の処理の概略的な流れの一例を示すシーケンス図である。当該処理は、図１６に示されるステップＳ４１３及びＳ４１７などに対応する。上記処理は、サブフレームごとに行われ得る。
【０１７９】
端末装置２００（情報取得部２４１）は、ＤＣＩを取得する（Ｓ４３１）。
【０１８０】
端末装置２００に無線リソースが割り当てられている場合に（Ｓ４３３：ＹＥＳ）、端末装置２００への送信に使用されるレイヤが、最大の電力を割り当てられるレイヤであれば（Ｓ４３５：ＹＥＳ）、端末装置２００（受信処理部２４７）は、上記レイヤで送信される信号の復号を行う（Ｓ４３７）。そして、処理は終了する。
【０１８１】
一方、端末装置２００への送信に使用されるレイヤが、最大の電力を割り当てられるレイヤでなければ（Ｓ４３５：ＮＯ）、端末装置２００（受信処理部２４７）は、干渉除去を行いつつ、上記少なくとも１つのレイヤで送信される信号の復号を行う（Ｓ４３９）。例えば、端末装置２００（受信処理部２４７）は、上記干渉除去として、他のレイヤで送信される信号を干渉レプリカ信号として生成し、ＣＣの受信電力から当該干渉レプリカ信号を除去する。そして、処理は終了する。
【０１８２】
端末装置２００に無線リソースが割り当てられていない場合には（Ｓ４３３：ＮＯ）、処理は終了する。
【０１８３】
なお、電力割当てを用いた非直交多元接続（例えば、ＳＰＣ−ＮＯＭＡ）が常に適用されるわけではなく、必要に応じて適用されてもよい。この場合には、上記ＤＣＩが、上記非直交多元接続の適用の有無を示す情報（例えば、ビット）を含んでもよく、端末装置２００は、（例えばステップＳ４３３の直後に）上記非直交多元接続の適用の有無を判定してもよい。上記非直交多元接続の適用があれば、処理はステップＳ４３５に進んでもよく、上記非直交多元接続の適用がなければ、処理はステップＳ４３７に進んでもよい。
【０１８４】
＜＜６．変形例＞＞
続いて、図１８〜図２５を参照して、本開示の実施形態の変形例を説明する。
【０１８５】
本開示の実施の変形例では、上記複数のレイヤは、時間フレームの長さが第１の長さである第１のレイヤと、時間フレームの長さが上記第１の長さよりも小さい第２の長さである第２のレイヤとを含む。即ち、上記複数のレイヤのうちの少なくとも２つのレイヤ間で時間フレームの長さが異なる。これにより、例えば、レイテンシ（latency）がより短くなり得る。
【０１８６】
（１）時間フレーム
（ａ）時間フレームの例
例えば、上記時間フレームは、無線リソースの割当てのサイクルである。より具体的には、例えば、上記時間フレームは、サブフレームである。
【０１８７】
（ｂ）時間フレームの長さ
例えば、上記第１の長さは、上記非直交多元接続が適用されない他の周波数帯域の時間フレームの長さと同じであり、上記第２の長さは、当該他の周波数帯域の時間フレームの長さよりも小さい。即ち、上記第１のレイヤの時間フレームは、通常の時間フレームと長さが同じであり、上記第２のレイヤの時間フレームは、通常の時間フレームよりも短い。
【０１８８】
例えば、上記第１の長さは、上記第２の長さの整数倍である。また、例えば、上記第１のレイヤの時間フレームに含まれる各シンボルは、上記第２のレイヤの時間フレームに含まれる各シンボルと長さが同じである。以下、図１８及び図１９を参照して、時間フレームの例を説明する。
【０１８９】
図１８は、一般的なフレーム構造（frame  structure）を説明するための説明図である。図１８を参照すると、無線フレーム（Radio  Frame）が示されている。例えば、当該無線フレームは、１０ｍｓの長さを有し、１０サブフレームを含む。また、例えば、各サブフレームは、１ｍｓの長さを有し、１４シンボルを含む。
【０１９０】
図１９は、変形例に係るフレーム構成の一例を説明するための説明図である。図１９を参照すると、ＣＣ３３のレイヤ１及びレイヤ２が示されている。この例では、レイヤ１は、図１８を参照して説明した一般的なフレーム構造を有する。即ち、レイヤ１の無線フレームは、１０ｍｓの長さを有し、１０サブフレームを含む。また、レイヤ１のサブフレームは、１ｍｓの長さを有し、１４シンボルを含む。一方、レイヤ２は、一般的なフレーム構造とは異なるフレーム構造を有する。具体的には、レイヤ２の無線フレームは、１０ｍｓの長さを有し、２０サブフレームを含む。また、レイヤ２のサブフレームは、０．５ｍｓの長さを有し、７シンボルを含む。このように、レイヤ１とレイヤ２との間で、サブフレーム（無線リソースの割当てのサイクル）の長さが異なる。また、ＣＣ３３と異なるＣＣ３１（図示せず）も、レイア１と同様に、図１８を参照して説明した一般的なフレーム構造を有する。即ち、レイヤ１のサブフレームの長さは、ＣＣ３１のサブフレームの長さと同じである。
【０１９１】
なお、レイヤ２のサブフレームは、より短くなるので、レイヤ２の無線リソースは、時間方向においてより短いものになる。一例として、レイヤ１については、時間方向に並ぶ２つのリソースブロックのペアが割り当てられるが、レイヤ２については、時間方向において１つのリソースブロックのみが割り当てられる。
【０１９２】
以上のように、レイヤ間で時間フレームの長さが異なる。これにより、例えば、少なくとも１つのレイヤについて割り当てる無線リソースの単位が小さくなる。例えば、割り当てられる無線リソースは、リソースブロックのペアから単一のリソースブロックになる。そのため、一定時間内により多くの端末装置に無線リソースが割り当てられ得る。その結果、レイテンシがより短くなり得る。
【０１９３】
なお、サブフレームの長さによらず、無線フレームの長さが一定である例を説明したが、本開示の実施形態の変形例はこの例に限定されない。例えば、サブフレームの長さによらず、無線フレームは、１０サブフレームを含んでもよい。具体的には、サブフレームの長さが０．５ｍｓである場合に、無線フレームの長さは５ｍｓであってもよい。
【０１９４】
（２）データのリアルタイム性とレイヤ
例えば、基地局１００（送信処理部１５５）は、上記周波数帯域において、リアルタイム性がより低いデータの信号を上記第１のレイヤで送信し、リアルタイム性がより高いデータの信号を上記第２のレイヤで送信する。
【０１９５】
一例として、図１９を再び参照すると、基地局１００は、ＣＣ３３において、リアルタイム性がより低いデータの信号をレイヤ１で送信し、リアルタイム性が高いデータの信号をレイヤ２で送信する。例えば、リアルタイム性がより高い当該データは、音声データ又は映像データなどである。
【０１９６】
これにより、例えば、リアルタイム性がより高いデータのレイテンシをより短くすることが可能になる。
【０１９７】
なお、基地局１００（処理部１５０）は、ＱＣＩ（QoS  Class  Identifier）に基づいて、データのリアルタイム性を判定してもよい。当該ＱＣＩは、当該データに対応するベアラのＱＣＩであってもよい。ＱＣＩは、以下のようにＱｏＳ（Quality  of  Service）の特徴に関連付けられていてもよい。
【０１９８】
【表１】
2016157918.tif 000024
【０１９９】
第１の例として、基地局１００は、上記ＱＣＩに関連付けられているリソースタイプがＧＢＲ（Guaranteed  Bit  Rate）である場合に、データのリアルタイム性が高いと判定してもよい。第２の例として、基地局１００は、上記ＱＣＩに関連付けられている優先度（Priority）が所定値以下（又は所定値未満）である（即ち、優先度が高い）場合に、データのリアルタイム性が高いと判定してもよい。第３の例として、基地局１００は、上記ＱＣＩに関連付けられているパケット遅延量（Packet  Delay  Budget）が所定値以下（又は所定値未満）である（即ち、遅延についての要求が厳しい）場合に、データのリアルタイム性が高いと判定してもよい。第４の例として、基地局１００は、上記ＱＣＩに関連付けられているパケットエラーロスレートが所定値以上（又は所定値超）である（即ち、ある程度のパケットロスが許容される）場合に、データのリアルタイム性が高いと判定してもよい。第５の例として、基地局１００は、基地局１００は、上記ＱＣＩが所定のＱＣＩである場合に、データのリアルタイム性が高いと判定してもよい。このようなリアルタイム性の判定により、周波数帯域及び／又はレイヤの選択がより容易になり得る。
【０２００】
（３）スループット／データサイズとレイヤ
基地局１００（送信処理部１５５）は、上記周波数帯域において、サイズがより大きい情報の信号を上記第１のレイヤで送信し、サイズがより小さい情報の信号を上記第２のレイヤで送信してもよい。一例として、サイズがより大きい上記情報は、サイズがより大きいデータであってもよく、サイズがより小さい上記情報は、サイズがより小さい制御情報又はデータであってもよい。これにより、無線リソースがより効率的に使用され得る。
【０２０１】
基地局１００（送信処理部１５５）は、上記周波数帯域において、より高いスループットが求められるデータの信号を上記第１のレイヤで送信し、より低いスループットが求められるデータの信号を上記第２のレイヤで送信してもよい。これにより、より高いスループットが求められるデータについて、スループットが高くなり得る。
【０２０２】
（４）各レイヤにおいて送信される信号
（ａ）物理データチャネルの信号
例えば、変形例においても、基地局１００（送信処理部１５５）は、上記周波数帯域において上記複数のレイヤの各々で物理データチャネルの信号を送信する。
【０２０３】
（ｂ）制御チャネルの信号
例えば、変形例においても、基地局１００（送信処理部１５５）は、上記周波数帯域において物理制御チャネルの信号を送信する。
【０２０４】
（ｂ−１）１つのレイヤでの送信
変形例においても、例えば、基地局１００（送信処理部１５５）は、上記周波数帯域において、上記複数のレイヤのうちの１つのレイヤで、上記物理制御チャネルの上記信号を送信する。また、例えば、上記物理制御チャネルの上記信号は、上記複数のレイヤの各々についてのスケジューリング情報の信号を含む。また、例えば、上記複数のレイヤのうちの上記１つのレイヤは、上記複数のレイヤのうちの、最大の送信電力を割り当てられるレイヤである。図２０及び図２１を参照して、基地局１００により各レイヤで送信される信号の例を説明する。
【０２０５】
図２０は、変形例において基地局１００により各レイヤで送信される信号の第１の例を説明するための説明図である。図２０を参照すると、ＣＣ３３のレイヤ１及びレイヤ２が示されている。この例では、レイヤ２のサブフレームの長さ（即ち、レイヤ２の第１サブフレーム及び第２サブフレームの各々の長さ）は、レイヤ１のサブフレームの長さの半分である。また、この例では、レイヤ１では、サブフレームのうちの１〜３番目のシンボルは、ＰＤＣＣＨが配置されるシンボルであり、レイヤ２では、第１サブフレームのうちの１〜３番目のシンボルは、ヌルシンボルである。即ち、基地局１００は、レイヤ１では、サブフレームのうちの１〜３番目のシンボルにおいて、ＰＤＣＣＨの信号を送信し、レイヤ２では、第１サブフレームのうちの１〜３番目のシンボルにおいて、いずれの信号も送信しない。これにより、レイヤ１の通信品質が向上し得る。レイヤ１で送信されるＰＤＣＣＨの信号は、レイヤ１及びレイヤ２の両方のスケジューリング情報の信号を含む。とりわけ、レイヤ１で送信されるＰＤＣＣＨの信号は、レイヤ２の２つのサブフレームのスケジューリング情報の信号を含む。また、レイヤ１では、サブフレームのうちの４番目〜１４番目のシンボルは、ＰＤＳＣＨが配置されるシンボルであり、レイヤ２では、第１サブフレームのうちの４番目〜７番目のシンボル、及び第２サブフレームの全てのシンボルは、ＰＤＳＣＨが配置されるシンボルである。即ち、基地局１００は、レイヤ１では、サブフレームのうちの４〜１４番目のシンボルにおいて、ＰＤＳＣＨの信号を送信し、レイヤ２では、第１サブフレームのうちの４〜７番目のシンボルと第２サブフレームの全てのシンボルとにおいて、ＰＤＳＣＨの信号を送信する。
【０２０６】
図２１は、変形例において基地局１００により各レイヤで送信される信号の第２の例を説明するための説明図である。図２１を参照すると、ＣＣ３３のレイヤ１及びレイヤ２が示されている。とりわけこの例では、レイヤ２では、第１サブフレームのうちの１〜３番目のシンボルは、ヌル（null）シンボルではなく、ＰＤＳＣＨが配置されるシンボルである。即ち、基地局１００は、レイヤ１では、サブフレームのうちの１〜３番目のシンボルにおいてＰＤＣＣＨの信号を送信し、レイヤ２では、第１サブフレームのうちの１〜３番目のシンボルにおいてＰＤＳＣＨの信号を送信する。これにより、基地局１００はより多くのデータ信号を送信し得る。
【０２０７】
なお、基地局１００（送信処理部１５５）は、上記周波数帯域において上記１つのレイヤで上記物理制御チャネルの信号を送信する代わりに、上記周波数帯域において多重化なしで上記物理制御チャネルの信号を送信してもよい。
【０２０８】
このような第１の例によれば、端末装置２００によるスケジューリング情報の取得がより容易になり得る。より具体的には、例えば、端末装置２００は、端末装置２００への送信に使用されるレイヤによらず、干渉除去なしでスケジューリング情報を取得し得る。
【０２０９】
（ａ−２）各レイヤでの送信
変形例においても、基地局１００（送信処理部１５５）は、上記周波数帯域において、上記複数のレイヤの各々で物理制御チャネルの信号を送信してもよい。以下、図２２を参照して、基地局１００により各レイヤで送信される信号の例を説明する。
【０２１０】
図２２は、変形例において基地局１００により各レイヤで送信される信号の第３の例を説明するための説明図である。図２２を参照すると、ＣＣ３３のレイヤ１及びレイヤ２が示されている。この例では、レイヤ２のサブフレームの長さ（即ち、レイヤ２の第１サブフレーム及び第２サブフレームの各々の長さ）は、レイヤ１のサブフレームの長さの半分である。また、この例では、レイヤ１のサブフレーム、レイヤ２の第１サブフレーム、及びレイヤ２の第２サブフレームの各々の１〜３番目のシンボルは、ＰＤＣＣＨが配置されるシンボルである。即ち、基地局１００は、レイヤ１では、サブフレームのうちの１〜３番目のシンボルにおいて、ＰＤＣＣＨの信号を送信し、レイヤ２では、第１サブフレームのうちの１〜３番目のシンボル、及び第２サブフレームのうちの１〜３番目のシンボルにおいて、ＰＤＣＣＨの信号を送信する。レイヤ１で送信されるＰＤＣＣＨの信号は、レイヤ１のスケジューリング情報の信号を含む。また、レイヤ２で第１サブフレームにおいて送信されるＰＤＣＣＨの信号は、当該第１サブフレームのスケジューリング情報の信号を含み、レイヤ２で第２サブフレームにおいて送信されるＰＤＣＣＨの信号は、当該第２サブフレームのスケジューリング情報の信号を含む。レイヤ１では、サブフレームのうちの４番目〜１４番目のシンボルは、ＰＤＳＣＨが配置されるシンボルであり、レイヤ２では、第１サブフレーム及び第２サブフレームの各々のうちの４番目〜７番目のシンボルは、ＰＤＳＣＨが配置されるシンボルである。即ち、基地局１００は、レイヤ１では、サブフレームのうちの４〜１４番目のシンボルにおいて、ＰＤＳＣＨの信号を送信し、レイヤ２では、第１サブフレーム及び第２サブフレームの各々のうちの４〜７番目のシンボルにおいて、ＰＤＳＣＨの信号を送信する。
【０２１１】
このような第２の例によれば、スケジューリング情報がより簡素化され得る。
【０２１２】
（ａ−３）クロスフレームスケジューリング
変形例では、基地局１００（送信処理部１５５）は、上記周波数帯域において、上記複数のレイヤの各々で物理制御チャネルの信号を送信してもよい。この点については、第３の例は、第２の例と同じである。とりわけ第３の例では、基地局１００（送信処理部１５５）は、上記第２のレイヤ（即ち、時間フレームがより短いレイヤ）では、複数の時間フレームのうちの１つの時間フレームにおいて物理制御チャネルの信号を送信してもよい。上記１つの時間フレームにおいて送信される物理制御チャネルの上記信号は、上記複数の時間フレームの各々についてのスケジューリング情報の信号を含む。これは、クロスフレームスケジューリングと言われ得る。以下、図２３を参照して、基地局１００により各レイヤで送信される信号の例を説明する。
【０２１３】
図２３は、変形例において基地局１００により各レイヤで送信される信号の第４の例を説明するための説明図である。図２３を参照すると、ＣＣ３３のレイヤ１及びレイヤ２が示されている。とりわけこの例では、レイヤ２の第２サブフレームの各々の１〜３番目のシンボルは、ＰＤＣＣＨではなくＰＤＳＣＨが配置されるシンボルである。即ち、基地局１００は、レイヤ２では、第２サブフレームのうちの１〜３番目のシンボルにおいて、ＰＤＣＣＨではなくＰＤＳＣＨの信号を送信する。さらに、とりわけこの例では、レイヤ２で第１サブフレームにおいて送信されるＰＤＣＣＨの信号は、当該第１サブフレームのスケジューリング情報の信号のみではなく、上記第２サブフレームのスケジューリング情報の信号も含む。
【０２１４】
このような第３の例によれば、例えば、基地局１００はより多くのデータ信号を送信することが可能になる。
【０２１５】
（ａ−４）クロスキャリアスケジューリング
変形例においても、基地局１００（送信処理部１５５）は、上記周波数帯域において物理制御チャネルの信号を送信しなくてもよい。その代わりに、基地局１００（送信処理部１５５）は、他の周波数帯域において物理制御チャネルの信号を送信し、当該信号は、上記複数のレイヤの各々についてのスケジューリング情報の信号を含んでもよい。即ち、クロスキャリアスケジューリングが行われてもよい。以下、図２４を参照して、基地局１００により各レイヤで送信される信号の例を説明する。
【０２１６】
図２４は、変形例において基地局１００により各レイヤで送信される信号の第５の例を説明するための説明図である。図２４を参照すると、ＣＣ３１及びＣＣ３３が示され、さらにＣＣ３３のレイヤ１及びレイヤ２が示されている。この例では、ＣＣ３３のレイヤ２のサブフレームの長さ（即ち、レイヤ２の第１サブフレーム及び第２サブフレームの各々の長さ）は、ＣＣ３３のレイヤ１のサブフレームの長さの半分である。ＣＣ３３のレイヤ１のサブフレームの長さは、ＣＣ３１のサブフレームの長さと同じである。また、この例では、ＣＣ３３において、レイヤ１及びレイヤ２のいずれにもＰＤＣＣＨが配置されない。その代わりに、ＣＣ３１において、ＰＤＣＣＨが配置され、当該ＰＤＣＣＨで、ＣＣ３３のレイヤ１及びレイヤ２のスケジューリング情報が送信される。即ち、基地局１００は、ＣＣ３１の１〜３番目のシンボルにおいて、ＰＤＣＣＨの信号を送信し、当該信号は、ＣＣ３３のレイヤ１及びレイヤ２のスケジューリング情報の信号を含む。なお、ＣＣ３３において、レイヤ１のサブフレームの全てのシンボル、並びに、レイヤ２の第１サブフレーム及び第２サブフレームの全てのシンボルは、ＰＤＳＣＨが配置されるシンボルである。即ち、基地局１００は、全てのシンボルにおいて、レイヤ１及びレイヤ２の両方でＰＤＳＣＨの信号を送信する。
【０２１７】
（ｂ）他の信号
さらに、例えば、基地局１００は、上記周波数帯域において他の信号（例えば、同期信号及び／又はＰＢＣＨの信号など）も送信する。この点についての説明は、上述したとおりである。
【０２１８】
（５）その他
基地局１００は、上記第２のレイヤの時間フレームの長さを変更してもよい。例えば、基地局１００は、上記第２のレイヤの時間フレームの長さを動的に又は準静的に変更してもよい。また、基地局１００は、上記複数のレイヤのうちの他のレイヤの時間フレームの長さも変更してもよい。以下、図２５を参照して時間フレームの長さの変更の例を説明する。
【０２１９】
図２５は、時間フレームの長さの変更の一例を説明するための説明図である。図２５を参照すると、２つの無線フレーム（Radio  Frame）が示されている。例えば、１つ目の無線フレームは、各々の長さが０．５ｍｓである２０サブフレームを含む。基地局１００は、当該１つ目の無線フレームの終了後に、サブフレームの長さを０．５ｍｓから１ｍｓに変更する。そのため、２つめの無線フレームは、各々の長さが１ｍｓである１０サブフレームを含む。
【０２２０】
＜＜７．他の実施形態＞＞
続いて、図２６を参照して、他の実施形態を説明する。
【０２２１】
＜７．１．技術的課題＞
まず、他の実施形態に係る技術的課題を説明する。
【０２２２】
セルラーシステムに求められる要求条件は多肢にわたる。当該要求条件の１つとして、レイテンシ（latency）の要求条件が挙げられる。レイテンシとは、例えば、送信装置によるデータの送信から、当該送信装置によるＡＣＫ／ＮＡＣＫの受信までの往復に要する時間（遅延時間）を意味する。あるいは、レイテンシとは、１つのトランスポートブロック（ＴＢ）の送受信の完了までの往復に要する時間、又は、上位レイヤの１つのパケット（例えば、ＩＰパケット）の送受信の完了までの往復に要する時間を意味してもよい。例えば、レイテンシが長くなるとリアルタイム性が確保できなくなり得るので、セルラーシステムではこのようなレイテンシがより短くなることが望まれる。
【０２２３】
そこで、セルラーシステムにおけるレイテンシをより短くすることを可能にする仕組みが提供されることが望ましい。
【０２２４】
＜７．２．技術的特徴＞
次に、図２６を参照して、他の実施形態に係る技術的特徴を説明する。
【０２２５】
他の実施形態では、基地局１００は、第１の周波数帯域及び第２の周波数帯域において信号を送信し、当該第２の周波数帯域の時間フレームは、当該第１の周波数帯域の時間フレームよりも短い。例えば、上記第１の周波数帯域の時間フレームの長さは、第１の長さであり、上記第２の周波数帯域の時間フレームの長さは、上記第１の長さよりも小さい第２の長さである。即ち、周波数帯域間で時間フレームの長さが異なる。これにより、例えば、レイテンシがより短くなり得る。
【０２２６】
（１）周波数帯域
例えば、上記第１の周波数帯域及び上記第２の周波数帯域の各々は、コンポーネントキャリアである。
【０２２７】
なお、当然ながら、基地局１００は、上記第１の周波数帯域及び上記第２の周波数帯域以外の周波数帯域（例えば、コンポーネントキャリア）も使用してもよい。
【０２２８】
（２）時間フレーム
（ａ）時間フレームの例
例えば、上記時間フレームは、無線リソースの割当てのサイクルである。より具体的には、例えば、上記時間フレームは、サブフレームである。
【０２２９】
（ｂ）時間フレームの長さ
例えば、上記第１の周波数帯域の時間フレームは、通常の時間フレームと長さが同じであり、上記第２の周波数帯域の時間フレームは、通常の時間フレームよりも短い。
【０２３０】
例えば、上記第１の長さ（上記第１の周波数帯域の時間フレームの長さ）は、上記第２の長さ（上記第２の周波数帯域の時間フレームの長さ）の整数倍である。また、例えば、上記第１の周波数帯域の時間フレームに含まれる各シンボルは、上記第２の周波数帯域の時間フレームに含まれる各シンボルと長さが同じである。以下、図２６を参照して時間フレームの例を説明する。
【０２３１】
図２６は、他の実施形態に係るフレーム構成の一例を説明するための説明図である。図２６を参照すると、ＣＣ３１及びＣＣ３３が示されている。この例では、ＣＣ３１は、図１８を参照して説明した一般的なフレーム構造を有する。即ち、ＣＣ３１の無線フレームは、１０ｍｓの長さを有し、１０サブフレームを含む。また、ＣＣ３１のサブフレームは、１ｍｓの長さを有し、１４シンボルを含む。一方、ＣＣ３３は、一般的なフレーム構造とは異なるフレーム構造を有する。具体的には、ＣＣ３３の無線フレームは、１０ｍｓの長さを有し、２０サブフレームを含む。また、ＣＣ３３のサブフレームは、０．５ｍｓの長さを有し、７シンボルを含む。このように、ＣＣ３１とＣＣ３３との間で、サブフレーム（無線リソースの割当てのサイクル）の長さが異なる。
【０２３２】
なお、ＣＣ３３の時間フレームは、より短くなるので、ＣＣ３３の無線リソースは、時間方向においてより短いものになる。一例として、ＣＣ３１については、時間方向に並ぶ２つのリソースブロックのペアが割り当てられるが、ＣＣ３３については、時間方向において１つのリソースブロックのみが割り当てられる。
【０２３３】
以上のように、周波数帯域（例えば、ＣＣ）間で時間フレームの長さが異なる。これにより、例えば、少なくとも１つの周波数帯域について割り当てる無線リソースの単位が小さくなる。例えば、割り当てられる無線リソースは、リソースブロックのペアから単一のリソースブロックになる。そのため、一定時間内により多くの端末装置に無線リソースが割り当てられ得る。その結果、レイテンシがより短くなり得る。
【０２３４】
（２）データのリアルタイム性と周波数帯域
例えば、基地局１００（送信処理部１５５）は、上記第１の周波数帯域において、リアルタイム性がより低いデータの信号を送信し、上記第２の周波数帯域において、リアルタイム性がより高いデータの信号を送信する。
【０２３５】
一例として、図２６を再び参照すると、基地局１００は、ＣＣ３１において、リアルタイム性がより低いデータの信号を送信し、ＣＣ３３において、リアルタイム性が高いデータの信号を送信する。例えば、リアルタイム性がより高い当該データは、音声データ又は映像データなどである。
【０２３６】
これにより、例えば、リアルタイム性がより高いデータのレイテンシをより短くすることが可能になる。
【０２３７】
なお、基地局１００（処理部１５０）は、ＱＣＩに基づいて、データのリアルタイム性を判定してもよい。当該ＱＣＩは、当該データに対応するベアラのＱＣＩであってもよい。この点についての説明は、上述した変形例における説明と同じである。よって、ここでは重複する記載を省略する。
【０２３８】
（３）スループット／データサイズと周波数帯域
基地局１００（送信処理部１５５）は、上記第１の周波数帯域において、サイズがより大きい情報の信号を送信し、上記第２の周波数帯域において、サイズがより小さい情報の信号を送信してもよい。一例として、サイズがより大きい上記情報は、サイズがより大きいデータであってもよく、サイズがより小さい上記情報は、サイズがより小さい制御情報又はデータであってもよい。これにより、無線リソースがより効率的に使用され得る。
【０２３９】
基地局１００（送信処理部１５５）は、上記第１の周波数帯域において、より高いスループットが求められるデータの信号を送信し、上記第２の周波数帯域において、より低いスループットが求められるデータの信号を送信してもよい。これにより、より高いスループットが求められるデータについて、スループットが高くなり得る。
【０２４０】
（４）その他
基地局１００は、上記第２の周波数帯域の時間フレームの長さを変更してもよい。例えば、基地局１００は、上記第２の周波数帯域の時間フレームの長さを動的に又は準静的に変更してもよい。また、基地局１００は、他の周波数帯域（例えば、上記第１の周波数帯域など）の時間フレームの長さも変更してもよい。
【０２４１】
＜＜８．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０２４２】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０２４３】
＜８．１．基地局に関する応用例＞
（１）第１の応用例
図２７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４４】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２７に示したように複数のアンテナ８１０を有し、複数のアンテナ８１０は、例えばｅＮＢ８００が使用する複数の周波数帯域にそれぞれ対応してもよい。なお、図２７にはｅＮＢ８００が複数のアンテナ８１０を有する例を示したが、ｅＮＢ８００は単一のアンテナ８１０を有してもよい。
【０２４５】
基地局装置８２０は、コントローラ８２１、メモリ８２２、ネットワークインタフェース８２３及び無線通信インタフェース８２５を備える。
【０２４６】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４７】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４８】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２４９】
無線通信インタフェース８２５は、図２７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２７に示したように複数のＲＦ回路８２７を含み、複数のＲＦ回路８２７は、例えば複数のアンテナ素子にそれぞれ対応してもよい。なお、図２７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２５０】
図２７に示したｅＮＢ８００において、図７を参照して説明した処理部１５０に含まれる１つ以上の構成要素（選択部１５１、通知部１５３、送信処理部１５５及び／又は受信処理部１５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２５１】
また、図２７に示したｅＮＢ８００において、図７を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０２５２】
（２）第２の応用例
図２８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２５３】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２８に示したように複数のアンテナ８４０を有し、複数のアンテナ８４０は、例えばｅＮＢ８３０が使用する複数の周波数帯域にそれぞれ対応してもよい。なお、図２８にはｅＮＢ８３０が複数のアンテナ８４０を有する例を示したが、ｅＮＢ８３０は単一のアンテナ８４０を有してもよい。
【０２５４】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２７を参照して説明したコントローラ８２１、メモリ８２２及びネットワークインタフェース８２３と同様のものである。
【０２５５】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２７を参照して説明したＢＢプロセッサ８２６と同様のものである。無線通信インタフェース８５５は、図２８に示したように複数のＢＢプロセッサ８５６を含み、複数のＢＢプロセッサ８５６は、例えばｅＮＢ８３０が使用する複数の周波数帯域にそれぞれ対応してもよい。なお、図２８には無線通信インタフェース８５５が複数のＢＢプロセッサ８５６を含む例を示したが、無線通信インタフェース８５５は単一のＢＢプロセッサ８５６を含んでもよい。
【０２５６】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５７】
また、ＲＲＨ８６０は、接続インタフェース８６１及び無線通信インタフェース８６３を備える。
【０２５８】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２５９】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２８に示したように複数のＲＦ回路８６４を含み、複数のＲＦ回路８６４は、例えば複数のアンテナ素子にそれぞれ対応してもよい。なお、図２８には無線通信インタフェース８６３が複数のＲＦ回路８６４を含む例を示したが、無線通信インタフェース８６３は単一のＲＦ回路８６４を含んでもよい。
【０２６０】
図２８に示したｅＮＢ８３０において、図７を参照して説明した処理部１５０に含まれる１つ以上の構成要素（選択部１５１、通知部１５３、送信処理部１５５及び／又は受信処理部１５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２６１】
また、図２８に示したｅＮＢ８３０において、例えば、図７を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０２６２】
＜８．２．端末装置に関する応用例＞
（１）第１の応用例
図２９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２６３】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２６４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２６５】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２９に示したように複数のＢＢプロセッサ９１３及び複数のＲＦ回路９１４を含んでもよい。なお、図２９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６６】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６７】
アンテナスイッチ９１５の各々は、無線通信インタフェース９１２に含まれる複数の回路（例えば、異なる無線通信方式のための回路）の間でアンテナ９１６の接続先を切り替える。
【０２６８】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２９に示したように複数のアンテナ９１６を有してもよい。なお、図２９にはスマートフォン９００が複数のアンテナ９１６を有する例を示したが、スマートフォン９００は単一のアンテナ９１６を有してもよい。
【０２６９】
さらに、スマートフォン９００は、無線通信方式ごとにアンテナ９１６を備えてもよい。その場合に、アンテナスイッチ９１５は、スマートフォン９００の構成から省略されてもよい。
【０２７０】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２９に示したスマートフォン９００の各ブロックへ電力を供給する。補助コントローラ９１９は、例えば、スリープモードにおいて、スマートフォン９００の必要最低限の機能を動作させる。
【０２７１】
図２９に示したスマートフォン９００において、図８を参照して説明した処理部２４０に含まれる１つ以上の構成要素（情報取得部２４１、通知部２４３、送信処理部２４５及び／又は受信処理部２４７）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７２】
また、図２９に示したスマートフォン９００において、例えば、図８を参照して説明した無線通信部２２０は、無線通信インタフェース９１２（例えば、ＲＦ回路９１４）において実装されてもよい。また、アンテナ部２１０は、アンテナ９１６において実装されてもよい。
【０２７３】
（２）第２の応用例
図３０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２７４】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２７５】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２７６】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７７】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３０に示したように複数のＢＢプロセッサ９３４及び複数のＲＦ回路９３５を含んでもよい。なお、図３０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７８】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７９】
アンテナスイッチ９３６の各々は、無線通信インタフェース９３３に含まれる複数の回路（例えば、異なる無線通信方式のための回路）の間でアンテナ９３７の接続先を切り替える。
【０２８０】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３０に示したように複数のアンテナ９３７を有してもよい。なお、図３０にはカーナビゲーション装置９２０が複数のアンテナ９３７を有する例を示したが、カーナビゲーション装置９２０は単一のアンテナ９３７を有してもよい。
【０２８１】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２８２】
バッテリー９３８は、図中に破線で部分的に示した給電ラインを介して、図３０に示したカーナビゲーション装置９２０の各ブロックへ電力を供給する。また、バッテリー９３８は、車両側から給電される電力を蓄積する。
【０２８３】
図３０に示したカーナビゲーション装置９２０において、図８を参照して説明した処理部２４０に含まれる１つ以上の構成要素（情報取得部２４１、通知部２４３、送信処理部２４５及び／又は受信処理部２４７）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８４】
また、図３０に示したカーナビゲーション装置９２０において、例えば、図８を参照して説明した無線通信部２２０は、無線通信インタフェース９３３（例えば、ＲＦ回路９３５）において実装されてもよい。また、アンテナ部２１０は、アンテナ９３７において実装されてもよい。
【０２８５】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上記１つ以上の構成要素（情報取得部２４１、通知部２４３、送信処理部２４５及び／又は受信処理部２４７）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２８６】
＜＜９．まとめ＞＞
ここまで、図３〜図３０を参照して、本開示の実施形態に係る各装置及び各処理を説明した。
【０２８７】
本開示に係る実施形態によれば、基地局１００は、非直交多元接続が適用される周波数帯域と、当該非直交多元接続のために当該周波数帯域において多重化される複数のレイヤのうちの少なくとも１つのレイヤとを、端末装置２００への送信に使用される帯域及びレイヤとして選択する選択部１５１と、上記周波数帯域及び上記少なくとも１つのレイヤを端末装置２００に通知する通知部１５３と、を備える。
【０２８８】
また、本開示に係る実施形態によれば、端末装置２００は、非直交多元接続が適用される周波数帯域であって、端末装置への送信に使用される帯域として選択される当該周波数帯域を示す帯域情報と、上記非直交多元接続のために上記周波数帯域において多重化される複数のレイヤのうちの少なくとも１つのレイヤであって、上記端末装置への送信に使用されるレイヤとして選択される当該少なくとも１つのレイヤを示すレイヤ情報と、を取得する情報取得部２４１と、上記周波数帯域において上記少なくとも１つのレイヤで送信される信号の復号を行う受信処理部２４７と、を備える。
【０２８９】
これにより、例えば、非直交多元接続のスケジューリングに関連する負担をより小さくすることが可能になる。
【０２９０】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２９１】
例えば、非直交多元接続の例として、電力割当てを用いた非直交多元接続（より具体的には、ＳＰＣを用いた非直交多元接続）を説明したが、本開示は係る例に限定されない。例えば、非直交多元接続として、ＩＤＭＡ及びＳＣＭＡなどが適用されてもよい。
【０２９２】
また、例えば、ＬＴＥ／ＬＴＥ−Ａの技術をベースとして実施形態を説明したが、本開示は係る例に限定されない。一例として、ＬＴＥ／ＬＴＥ−Ａにおいて定められるチャネル（例えば、ＰＤＣＣＨ、ＰＤＳＣＨ及び／又はＢＭＣＨなど）が用いられる例を説明したが、他のチャネル（他の名称のチャネル）が用いられてもよい。
【０２９３】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２９４】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、選択部、通知部、送信処理部、受信処理部及び／又は情報取得部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、選択部、通知部、送信処理部、受信処理部及び／又は情報取得部など）の動作を含む方法も、本開示に係る技術に含まれる。
【０２９５】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２９６】
なお、以下のような構成も本開示の技術的範囲に属する。
（１）
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択する選択部と、
前記周波数帯域及び前記少なくとも１つのレイヤを前記端末装置に通知する通知部と、
を備える装置。
（２）
前記非直交多元接続は、電力割当てを用いた非直交多元接続であり、
前記複数のレイヤは、電力割当てを用いて前記周波数帯域において多重化される複数のレイヤである、
前記（１）に記載の装置。
（３）
前記非直交多元接続は、ＳＰＣ（Superposition  Coding）を用いた非直交多元接続である、前記（２）に記載の装置。
（４）
前記選択部は、前記周波数帯域と、前記複数のレイヤのうちの、最大の電力を割り当てられるレイヤとを、前記非直交多元接続をサポートしていない他の端末装置への送信に使用される帯域及びレイヤとして選択し、
前記通知部は、前記周波数帯域を前記他の端末装置に通知する、
前記（２）又は（３）に記載の装置。
（５）
前記端末装置は、前記非直交多元接続をサポートする端末装置である、前記（１）〜（４）のいずれか１項に記載の装置。
（６）
前記周波数帯域は、コンポーネントキャリアであり、
前記選択部は、前記端末装置への送信に使用されるセカンダリコンポーネントキャリアとして前記周波数帯域を選択し、当該セカンダリコンポーネントキャリアにおいて前記端末装置への送信に使用されるレイヤとして前記少なくとも１つのレイヤを選択する、
前記（１）〜（５）のいずれか１項に記載の装置。
（７）
前記選択部は、前記端末装置のハンドオーバ先の帯域として前記周波数帯域を選択し、当該ハンドオーバ先の当該帯域において前記端末装置への送信に使用されるレイヤとして前記少なくとも１つのレイヤを選択する、前記（１）〜（５）のいずれか１項に記載の装置。
（８）
前記選択部は、前記複数のレイヤのうちの他のレイヤを、前記端末装置への送信に使用されるレイヤとして再選択し、
前記通知部は、前記他のレイヤを前記端末装置に通知する、
前記（１）〜（７）のいずれか１項に記載の装置。
（９）
前記少なくとも１つのレイヤは、前記複数のレイヤのうちの１つのレイヤである、前記（１）〜（８）のいずれか１項に記載の装置。
（１０）
前記周波数帯域において信号を送信する送信処理部
をさらに備え、
前記送信処理部は、前記周波数帯域において前記複数のレイヤの各々で物理データチャネルの信号を送信する、
前記（１）〜（９）のいずれか１項に記載の装置。
（１１）
前記送信処理部は、前記周波数帯域において、前記複数のレイヤのうちの１つのレイヤで、又は、多重化なしで、物理制御チャネルの信号を送信する、前記（１０）に記載の装置。
（１２）
前記物理制御チャネルの前記信号は、前記複数のレイヤの各々についてのスケジューリング情報の信号を含む、前記（１１）に記載の装置。
（１３）
前記送信処理部は、前記周波数帯域において、前記複数のレイヤの各々で物理制御チャネルの信号を送信する、前記（１０）に記載の装置。
（１４）
前記複数のレイヤは、時間フレームの長さが第１の長さである第１のレイヤと、時間フレームの長さが前記第１の長さよりも小さい第２の長さである第２のレイヤとを含む、前記（１）〜（１３）のいずれか１項に記載の装置。
（１５）
前記第１の長さは、前記非直交多元接続が適用されない他の周波数帯域の時間フレームの長さと同じである、前記（１４）に記載の装置。
（１６）
前記周波数帯域において信号を送信する送信処理部
をさらに備え、
前記送信処理部は、前記周波数帯域において、リアルタイム性がより低いデータの信号を前記第１のレイヤで送信し、リアルタイム性がより高いデータの信号を前記第２のレイヤで送信する、
前記（１４）又は（１５）に記載の装置。
（１７）
前記時間フレームは、サブフレームである、前記（１４）又は（１５）に記載の装置。
（１８）
プロセッサにより、
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択することと、
前記周波数帯域及び前記少なくとも１つのレイヤを前記端末装置に通知することと、
を含む方法。
（１９）
非直交多元接続が適用される周波数帯域であって、端末装置への送信に使用される帯域として選択される当該周波数帯域を示す帯域情報と、前記非直交多元接続のために前記周波数帯域において多重化される複数のレイヤのうちの少なくとも１つのレイヤであって、前記端末装置への送信に使用されるレイヤとして選択される当該少なくとも１つのレイヤを示すレイヤ情報と、を取得する取得部と、
前記周波数帯域において前記少なくとも１つのレイヤで送信される信号の復号を行う受信処理部と、
を備える装置。
（２０）
前記端末装置が前記非直交多元接続をサポートすることを示すケイパビリティ情報を基地局に通知する通知部をさらに備える、前記（１９）に記載の装置。
（２１）
前記装置は、基地局、基地局のための基地局装置、又は当該基地局装置のためのモジュールである、前記（１）〜（１７）のいずれか１項に記載の装置。
（２２）
前記装置は、前記端末装置、又は前記端末装置のためのモジュールである、前記（１９）又は（２０）に記載の装置。
（２３）
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択することと、
前記周波数帯域及び前記少なくとも１つのレイヤを前記端末装置に通知することと、
をプロセッサに実行させるためのプログラム。
（２４）
非直交多元接続が適用される周波数帯域と、当該非直交多元接続のために当該周波数帯域において多重化される複数のレイヤのうちの少なくとも１つのレイヤとを、端末装置への送信に使用される帯域及びレイヤとして選択することと、
前記周波数帯域及び前記少なくとも１つのレイヤを前記端末装置に通知することと、
をプロセッサに実行させるためのプログラムを記録した読み取り可能な記録媒体。
（２５）
プロセッサにより、
非直交多元接続が適用される周波数帯域であって、端末装置への送信に使用される帯域として選択される当該周波数帯域を示す帯域情報と、前記非直交多元接続のために前記周波数帯域において多重化される複数のレイヤのうちの少なくとも１つのレイヤであって、前記端末装置への送信に使用されるレイヤとして選択される当該少なくとも１つのレイヤを示すレイヤ情報と、を取得することと、
前記周波数帯域において前記少なくとも１つのレイヤで送信される信号の復号を行うことと、
を含む方法。
（２６）
非直交多元接続が適用される周波数帯域であって、端末装置への送信に使用される帯域として選択される当該周波数帯域を示す帯域情報と、前記非直交多元接続のために前記周波数帯域において多重化される複数のレイヤのうちの少なくとも１つのレイヤであって、前記端末装置への送信に使用されるレイヤとして選択される当該少なくとも１つのレイヤを示すレイヤ情報と、を取得することと、
前記周波数帯域において前記少なくとも１つのレイヤで送信される信号の復号を行うことと、
をプロセッサに実行させるためのプログラム。
（２７）
非直交多元接続が適用される周波数帯域であって、端末装置への送信に使用される帯域として選択される当該周波数帯域を示す帯域情報と、前記非直交多元接続のために前記周波数帯域において多重化される複数のレイヤのうちの少なくとも１つのレイヤであって、前記端末装置への送信に使用されるレイヤとして選択される当該少なくとも１つのレイヤを示すレイヤ情報と、を取得することと、
前記周波数帯域において前記少なくとも１つのレイヤで送信される信号の復号を行うことと、
をプロセッサに実行させるためのプログラムを記録した読み取り可能な記録媒体。
【符号の説明】
【０２９７】
１        システム
１００    基地局
１５１    選択部
１５３    通知部
１５５    送信処理部
１５７    受信処理部
２００    端末装置
２４１    情報取得部
２４３    通知部
２４５    送信処理部
２４７    受信処理部
【図１】
2016157918.tif 000025
【図２】
2016157918.tif 000026
【図３】
2016157918.tif 000027
【図４】
2016157918.tif 000028
【図５】
2016157918.tif 000029
【図６】
2016157918.tif 000030
【図７】
2016157918.tif 000031
【図８】
2016157918.tif 000032
【図９】
2016157918.tif 000033
【図１０】
2016157918.tif 000034
【図１１】
2016157918.tif 000035
【図１２】
2016157918.tif 000036
【図１３】
2016157918.tif 000037
【図１４】
2016157918.tif 000038
【図１５】
2016157918.tif 000039
【図１６】
2016157918.tif 000040
【図１７】
2016157918.tif 000041
【図１８】
2016157918.tif 000042
【図１９】
2016157918.tif 000043
【図２０】
2016157918.tif 000044
【図２１】
2016157918.tif 000045
【図２２】
2016157918.tif 000046
【図２３】
2016157918.tif 000047
【図２４】
2016157918.tif 000048
【図２５】
2016157918.tif 000049
【図２６】
2016157918.tif 000050
【図２７】
2016157918.tif 000051
【図２８】
2016157918.tif 000052
【図２９】
2016157918.tif 000053
【図３０】
2016157918.tif 000054
【国際調査報告】
2016157918.tif 000055
2016157918.tif 000056
2016157918.tif 000057
2016157918.tif 000058